(57)【特許請求の範囲】
【請求項１】
光コネクタのプラグが接続可能であり且つプラグが接続された状態の当該プラグの先端部の対向位置に光素子が配設された光コネクタのソケットにおいて、プラグが挿入される挿入穴部を有したハウジング部と、ハウジング部の挿入穴部の入口側の近くにヒンジによりその内側にだけ開閉可能に設けられたシャッタ部と、ハウジング部の挿入穴部に設けられ且つシャッタ部の閉状態を弾性的に維持するようにシャッタ部を付勢する弾性体部とを具備しており、プラグ挿入の際にその先端部が当接する面であるシャッタ部の前面には、当該プラグが挿入穴部に挿入された状態で当該プラグのロック用爪部が係合可能なロック用凹部が設けられたことを特徴とする光コネクタのソケット。
【請求項２】
請求項１記載の光コネクタのソケットにおいて、前記ハウジング部は、前記シャッタ部及び弾性体部を有した第１のハウジング部と、第１のハウジング部をプラグ挿入方向と同じ方向に挿入するための穴部及び前記光素子が設けられた第２のハウジング部とを備えており、第２のハウジング部の穴部に挿入された第１のハウジング部を第２のハウジングに対して係止するための係止手段として、第１のハウジング部側には係止用爪部又は係止用穴部が、第２のハウジング部側には係止用穴部又は係止用爪部が各々設けられたことを特徴とする光コネクタのソケット。
【請求項３】
請求項２記載の光コネクタのソケットにおいて、前記係止手段は、第１のハウジング部の外面に設けられた係止用爪部と、第２のハウジング部に設けられた係止用穴部とを有しており、当該係止用爪部は前記シャッタが閉状態になったときのその裏面に当接して圧接される位置に配設されていることを特徴とする光コネクタのソケット。
【請求項４】
請求項２記載の光コネクタのソケットにおいて、前記係止手段は、シャッタ部の後面に設けられた係止用爪部と、第２のハウジング部に設けられた係止用穴部とを有しており、当該係止用爪部は前記シャッタの閉状態において当該係止用穴部に係止されるようになっていることを特徴とする光コネクタのソケット。
【請求項５】
請求項２記載の光コネクタのソケットにおいて、前記係止手段は、第１のハウジング部の外面に設けられた係止用爪部と、第２のハウジング部に設けられた係止用穴部とを有していることを特徴とする光コネクタのソケット。
【請求項６】
請求項１、２、３、４または５記載の光コネクタのソケットは２心用ソケットであって、前記シャッタ部は、単心用光コネクタのプラグに対応した一対の単心用シャッタ部と、この一対の単心用シャッタ部の間に設けられた中間シャッタ部とからなり、且つ前記弾性体部は、前記一対の単心用シャッタ部と前記中間シャッタ部とにそれぞれ対応して設けられていることを特徴とする光コネクタのソケット。
【請求項７】
請求項１、２、３、４または５記載の光コネクタのソケットは２心用ソケットであって、前記シャッタ部は、単心用光コネクタのプラグに対応した一対の単心用シャッタ部と、この一対の単心用シャッタ部の間に設けられて、前記２心用光コネクタのプラグの着脱方向にスライドする中間スライド壁部とからなり、且つ前記弾性体部は、前記一対の単心用シャッタ部と前記中間スライド壁部とにそれぞれ対応して設けられており、且つ、前記ロック用凹部は、前記シャッタ部の前面ではなくその代わりに前記ハウジングの挿入穴部に設けられたことを特徴とする光コネクタのソケット。
【請求項８】
請求項１、２、３、４または５記載の光コネクタのソケットにおいて、前記シャッタ部は第１のシャッタ部と第２のシャッタ部とからなり且つ奥側へのみ観音開きし、且つ前記弾性体部は前記第１のシャッタ部と前記第２のシャッタ部とにそれぞれ対応して設けられたことを特徴とする光コネクタのソケット。
【請求項９】
請求項１、２、３、４または５記載の光コネクタのソケットにおいて、前記シャッタ部と弾性体部との代わりに、前記プラグの先端部を前記挿入穴部内で保持するプラグ先端保持部の入口側を略閉塞するためのシャッタ面部とこのシャッタ面部に突設されたアーム部とからなるシャッタ部と、このシャッタ部を前記略閉塞する方向に付勢する弾性体部とを備えており、前記アーム部の基端部は前記挿入穴部の入口側にヒンジ構造によって取り付けられ、前記プラグが前記挿入穴部に挿入されるときに前記アーム部が前記プラグに押されることによって、前記プラグの先端部が前記シャッタ面部に到達する前に、前記シャッタ面部は前記プラグ先端保持部の内部から外部へ移動させられる構成となっていることを特徴とする光コネクタのソケット。
【請求項１０】
請求項２または５記載の光コネクタのソケットにおいて、前記シャッタ部と前記弾性体部との代わりに、前記プラグの先端部を前記挿入穴部内で保持するプラグ先端保持部内の入口側にヒンジ構造によって取り付けられて前記プラグ先端保持部の内側にだけ開くシャッタ部と、このシャッタ部を前記プラグ先端保持部の入口側に付勢する弾性体部とを備えたことを特徴とする光コネクタのソケット。
【発明の詳細な説明】
【０００１】
【発明の属する技術分野】
本発明は、ＤＶＤ、ＭＤ、ＣＤ、デジタルチューナ、デジタルアンプ、ＴＶ、ＳＴＢ（セットトップボックス：衛星放送のアダプタ装置）、パソコン、プリンタ、スキャナ、デジタル複写機等のデジタル信号を入力／出力する装置に設けられる光コネクタのソケットに関する。
【０００２】
【従来の技術】
光コネクタのソケットには、例えばＪＩＳ規格でＦ０５形（ＥＩＡＪ規格では角形）と呼ばれる単心用光コネクタのプラグ（後述の図８参照）が挿入される単心用のものと、いわゆるＰＮ形と呼ばれる２心用光コネクタのプラグ（後述の図７参照）等が挿入される２心用のものとがある。単心用の光コネクタのソケットはもちろん単心用光コネクタのプラグのみが接続されるものであるが、２心用光コネクタのソケットは、２心用光コネクタのプラグのみならずその代わりに単心用光コネクタのプラグも接続可能になっている。
【０００３】
従来の光コネクタのソケットには、前記プラグが挿入される挿入穴部に埃等が入り込まないように、前記挿入穴部に嵌め込まれるキャップが準備されている。埃等が前記挿入穴部に入り込むと前記挿入穴部の奥側に設けられた光素子が汚れる等して、光伝達効率が落ちて、所定の光信号伝達ができなくなるおそれがあるからである。
【０００４】
また、単心用の光コネクタのソケットにおいて前記光素子が発光素子である場合、または２心用光コネクタのソケットの前記光素子の一方または両方が発光素子である場合、前記ソケットが設けられた装置の電源がオンされると、発光素子が常時動作状態となる。よって、前記発光素子が設けられた単心用の光コネクタのソケットにプラグが挿入されてないとき、または前記発光素子が設けられた２心用光コネクタのソケットの前記発光素子側にプラグが挿入されてないときに、発光した光が外部に放射されるため、この光が目に入らぬよう防止することが望ましいからである。
【０００５】
【発明が解決しようとする課題】
しかしながら、前記キャップは、従来の光コネクタのソケットとは分離したものであるため、はずしたキャップは紛失しやすい。紛失して、そのままにしておくと、上述したように、光素子が汚れる等して所定の光信号伝達ができなくなるおそれが高くなる。即ち、誤動作する場合があり、従来の光コネクタのソケットの信頼性が低くなっていた。また、前記光が目に入るおそれがあった。更に、キャップは誤飲されるおそれがあった。
【０００６】
本発明の主たる目的は、信頼性を高く維持できる光コネクタのソケットを提供することにある。
【０００７】
【課題を解決するための手段】
上記問題を解決するために、本発明の請求項１に係る光コネクタのソケットは、光コネクタのプラグが接続可能であり且つプラグが接続された状態の当該プラグの先端部の対向位置に光素子が配設されたソケットであって、プラグが挿入される挿入穴部を有したハウジング部と、ハウジング部の挿入穴部の入口側の近くにヒンジによりその内側にだけ開閉可能に設けられたシャッタ部と、ハウジング部の挿入穴部に設けられ且つシャッタ部の閉状態を弾性的に維持するようにシャッタ部を付勢する弾性体部とを具備しており、プラグ挿入の際にその先端部が当接する面であるシャッタ部の前面には、当該プラグが挿入穴部に挿入された状態で当該プラグのロック用爪部が係合可能なロック用凹部が設けられたことを特徴としている。
【０００８】
本発明の請求項２に係る光コネクタのソケットは、請求項１記載の光コネクタのソケットにおいて、ハウジング部は、前記挿入穴部、シャッタ部及び弾性体部を有した第１のハウジング部と、第１のハウジング部をプラグ挿入方向と同じ方向に挿入するための穴部及び前記光素子が設けられた第２のハウジング部とを備え、第２のハウジング部の穴部に挿入された第１のハウジング部を第２のハウジングに対して係止するための係止手段として、第１のハウジング部側には係止用爪部又は係止用穴部が、第２のハウジング部側には係止用穴部又は係止用爪部が各々設けられている。
【００１０】
本発明の請求項３に係る光コネクタのソケットは、請求項２記載の光コネクタのソケットにおいて、前記係止手段は、第１のハウジング部の外面に設けられた係止用爪部と、第２のハウジング部に設けられた係止用穴部とを有しており、当該係止用爪部は前記シャッタが閉状態になったときのその裏面に当接して圧接される位置に配設されている。
【００１１】
本発明の請求項４に係る光コネクタのソケットは、請求項２記載の光コネクタのソケットにおいて、前記係止手段は、シャッタ部の後面に設けられた係止用爪部と、第２のハウジング部に設けられた係止用穴部とを有しており、当該係止用爪部は前記シャッタの閉状態において当該係止用穴部に係止されている。
【００１２】
本発明の請求項５に係る光コネクタのソケットは、請求項２記載の光コネクタのソケットにおいて、前記係止手段は、第１のハウジング部の外面に設けられた係止用爪部と、第２のハウジング部に設けられた係止用穴部とを有している。
【００１３】
本発明の請求項６に係る光コネクタのソケットは、請求項１、２、３、４または５記載の光コネクタのソケットは２心用ソケットであって、前記シャッタ部は、単心用光コネクタのプラグに対応した一対の単心用シャッタ部と、この一対の単心用シャッタ部の間に設けられた中間シャッタ部とからなり、且つ前記弾性体部は、前記一対の単心用シャッタ部と前記中間シャッタ部とにそれぞれ対応して設けられる。
【００１４】
本発明の請求項７に係る光コネクタのソケットは、請求項１、２、３、４または５記載の光コネクタのソケットは２心用ソケットであって、前記シャッタ部は、単心用光コネクタのプラグに対応した一対の単心用シャッタ部と、この一対の単心用シャッタ部の間に設けられて、前記２心用光コネクタのプラグの着脱方向にスライドする中間スライド壁部とからなり、且つ前記弾性体部は、前記一対の単心用シャッタ部と前記中間スライド壁部とにそれぞれ対応して設けられており、且つ、前記ロック用凹部は、前記シャッタ部の前面ではなくその代わりに前記ハウジングの挿入穴部に設けられる。
【００１５】
本発明の請求項８に係る光コネクタのソケットは、請求項１、２、３、４または５記載の光コネクタのソケットにおいて、前記シャッタ部は第１のシャッタ部と第２のシャッタ部とからなり且つ奥側へのみ観音開きし、且つ前記弾性体部は前記第１のシャッタ部と前記第２のシャッタ部とにそれぞれ対応して設けられている。
【００１６】
本発明の請求項９に係る光コネクタのソケットは、請求項１、２、３、４または５記載の光コネクタのソケットにおいて、前記シャッタ部と弾性体部との代わりに、前記プラグの先端部を前記挿入穴部内で保持するプラグ先端保持部の入口側を略閉塞するためのシャッタ面部とこのシャッタ面部に突設されたアーム部とからなるシャッタ部と、このシャッタ部を前記略閉塞する方向に付勢する弾性体部とを備えており、前記アーム部の基端部は前記挿入穴部の入口側にヒンジ構造によって取り付けられ、前記プラグが前記挿入穴部に挿入されるときに前記アーム部が前記プラグに押されることによって、前記プラグの先端部が前記シャッタ面部に到達する前に、前記シャッタ面部は前記プラグ先端保持部の内部から外部へ移動させられる構成となっている。
【００１７】
本発明の請求項１０に係る光コネクタのソケットは、請求項２または５記載の光コネクタのソケットにおいて、前記シャッタ部と前記弾性体部との代わりに、前記プラグの先端部を前記挿入穴部内で保持するプラグ先端保持部内の入口側にヒンジ構造によって取り付けられて前記プラグ先端保持部の内側にだけ開くシャッタ部と、このシャッタ部を前記プラグ先端保持部の入口側に付勢する弾性体部とを備える。
【００１８】
【発明の実施の形態】
以下、本発明の実施の形態に係る２心用光コネクタのソケットを図１〜図８を参照しつつ説明する。
【００１９】
図１は本発明の実施の形態に係る光コネクタのソケットを示す概略的断面的説明図、図２は本発明の実施の形態に係る光コネクタのソケットを示す図であって、同図（Ａ）は平面図、同図（Ｂ）は正面図、同図（Ｃ）は側面図、同図（Ｄ）は断面図、同図（Ｅ）は背面図、図３は本発明の実施の形態に係る光コネクタのソケットに用いられる第１のハウジング部を示す図であって、同図（Ａ）は平面図、同図（Ｂ）は側面図、同図（Ｃ）は正面図、同図（Ｄ）は同図（Ｃ）のＡ−Ａ線断面図、同図（Ｅ）は背面図、同図（Ｆ）は同図（Ｇ）の一部拡大図、同図（Ｇ）は底面図、同図（Ｈ）は同図（Ｃ）のＢ−Ｂ線断面図、図４は本発明の実施の形態に係る光コネクタのソケットに用いられる第２のハウジング部を示す図であって、同図（Ａ）は平面図、同図（Ｂ）は側面図、同図（Ｃ）は正面図、同図（Ｄ）は同図（Ｃ）のＡ−Ａ線断面図、同図（Ｅ）は背面図、同図（Ｆ）は底面図、図５は本発明の実施の形態に係る光コネクタのソケットに用いられるシャッタ部を示す図であって、同図（Ａ）は平面図、同図（Ｂ）は正面図、同図（Ｃ）は側面図、同図（Ｄ）は同図（Ｆ）のＢ−Ｂ線断面図、同図（Ｅ）は同図（Ｆ）のＡ−Ａ線断面図、同図（Ｆ）は背面図、同図（Ｇ）は底面図、同図（Ｈ）は同図（Ｄ）の一部拡大図、図６は本発明の実施の形態に係る光コネクタのソケットに用いられるシールドカバーを示す図であって、同図（Ａ）は平面図、同図（Ｂ）は側面図、同図（Ｃ）は正面図、同図（Ｄ）は底面図、図７は本発明の実施の形態に係る光コネクタのソケット等に接続される２心用光コネクタのプラグを示す図であって、同図（Ａ）は概略的斜視図、同図（Ｂ）は概略的正面図、同図（Ｃ）は同図（Ｂ）のＡ−Ａ線で一部破断した概略的側面図、図８は本発明の実施の形態に係る光コネクタのソケット等に接続される単心用光コネクタのプラグを示す図であって、同図（Ａ）は概略的正面図、同図（Ｂ）は一部破断した概略的側面図である。
【００２０】
先ず、本発明の実施の形態に係る２心用光コネクタのソケット等に接続される２心用プラグと単心用プラグとを前記図７および図８を参照しつつ説明する。
【００２１】
図７に示されるいわゆるＰＮ型の光コネクタのプラグ１００Ｗは、２心用プラグであって、一対の光ファイバ１１０の端部側に設けられており、略直方体状のプラグ本体部１２０Ｗと、このプラグ本体部１２０Ｗの先端から突設された正面視略Ｕ字状の係合凸部１５０Ｗと、プラグ本体部１２０Ｗの先端から係合凸部１５０Ｗの上側中央部の凹部１５８Ｗの内側に舌片状に突設された係止部１６１Ｗ等のロック機構１６０Ｗとを備えている。係合凸部１５０Ｗとロック機構１６０Ｗの係止部１６１Ｗとは、全体が後述のソケット２００等の挿入穴部２２０等に係合される部分である。
【００２２】
係合凸部１５０Ｗは、プラグ本体部１２０Ｗ側の部分であり、その先端側に２つの凹部１５２Ｗと、両凹部１５２Ｗ間の１つの貫通孔１５３Ｗとを有する係合凸部本体１５１Ｗと、両凹部１５２Ｗのそれぞれの中心部分に突設され、ソケット２００等のプラグ先端保持部２２９等と係合するプラグ先端部１５９Ｗとを有している。
【００２３】
係合凸部１５０Ｗの両側面には、ソケット２００等の挿入穴部２２０等のプラグガイド用凹部２２１、２２１と係合する挿入ガイド用凸部１５１Ｗａ、１５１Ｗａが突設されている。
係合凸部１５０Ｗの２つの上面と下面中央とには、ソケット２００等への位置決め用凸部１５１Ｗｂ、１５１Ｗｂ、１５１Ｗｂが突設されている。前記２つの上面に設けられた位置決め用凸部１５１Ｗｂ、１５１Ｗｂは、後述のＦ０５形（単心用）光コネクタのプラグ１００の係合凸部１５０の上面の位置決め用凸部１５１ｂに対応した位置に設けられたものである。
係合凸部１５０Ｗの下面側には、斜辺面１５１Ｗｃ、１５１Ｗｃが形成されている。
【００２４】
凹部１５２Ｗは、ソケット２００等の挿入穴部２２０等の奥側に設けられたプラグ先端保持部２２９等がＥＩＡＪ規格の奥行きを有したものであれば、このプラグ先端保持部２２９等の突出部分と係合する部分である。
【００２５】
プラグ先端部１５９Ｗは、正面視円形であり、光ファイバ１１０の先端側部分の外周を保護樹脂部１５９Ｗａで覆ったものである。この保護樹脂部１５９Ｗａの先端には、テーパ１５９Ｗｔが設けられている。
【００２６】
ロック機構１６０Ｗは、ソケット２００等に接続されたプラグ１００Ｗが不用意に抜けないようにするためのものである。ロック機構１６０Ｗは、プラグ本体部１２０Ｗから前記凹部１５８Ｗの内側に舌片状に突設された係止部１６１Ｗと、この係止部１６１Ｗの先端のロック用爪部１６２Ｗによるロックを解除するために係止部１６１Ｗのロック用爪部１６２Ｗを下側に移動させるロック解除機構とを備えている。
【００２７】
ロック解除機構は、舌片状に突設された係止部１６１Ｗの基端よりも手前側、即ち、プラグ本体部１２０Ｗ側の一部体（図示省略）と、プラグ本体部１２０Ｗの周囲を覆うスライド式カバー体１３０Ｗとからなる。前記一部体も舌片状である。即ち、舌片状の係止部１６１Ｗと舌片状の前記一部体とは一体の舌片状部分である。スライド式カバー体１３０Ｗは、プラグ本体部１２０Ｗに沿って前後にスライドするように形成されている。
【００２８】
前記一部体と、この一部体に向かい合うスライド式カバー体１３０Ｗの面とには、スライド式カバー体１３０Ｗをスライドさせたときに相互に係合する一対の凸部（図示省略）が設けられている。この一対の凸部は、ソケット２００等に接続されたプラグ１００Ｗを抜くべく、スライド式カバー体１３０Ｗを手前側に引く（即ち、プラグ本体部１２０Ｗに対してスライド式カバー体１３０Ｗを手前側に引く）と、相互に係合して、係止部１６１Ｗのロック用爪部１６２Ｗを下側に移動させて、ロック解除するように形成されている。
【００２９】
ロック解除されるのは、あくまでプラグ本体部１２０Ｗに対してスライド式カバー体１３０Ｗを手前側に引くときだけである。それゆえ、光ファイバ１１０が不用意に引っ張られてプラグ１００Ｗを手前側に引く力が働いたとしても、その力はプラグ本体部１２０Ｗ経由で係止部１６１Ｗのロック用爪部１６２Ｗに働くだけであり、プラグ本体部１２０Ｗに対してスライド式カバー体１３０Ｗを手前側に引くものではない。よって、前記引っ張られたプラグ１００Ｗとソケット２００等との間のロックは不用意に解除されないようになっている。
【００３０】
また、前記ロック機構１６０Ｗと異なるロック機構である場合もある。
この異なるロック機構は、図示しないが、係止部１６１Ｗは同じであるが、前記スライド式カバー体１３０Ｗを取り去るとともに、前記凸部が一方だけとなるためにロック機構１６０Ｗの前記一部体の凸部を高めに変更したものである。よって、この異なるロック機構であっても、係合凸部１５０Ｗと係止部１６１Ｗとが、ソケット２００等の挿入穴部２２０等に係合される部分であることには変わりがない。変更後の凸部を、直接、指で下側へ押すことで、ロック用爪部１６２Ｗが下側に移動させられて、ロック解除されるようになっている。よって、いずれのロック機構であっても、光ファイバ１１０が不用意に引っ張られてもプラグ１００Ｗとソケット２００等との間のロックは不用意に解除されないようになっている。以下、スライド式カバー体１３０Ｗを有するロック機構１６０Ｗを代表にする。
【００３１】
なお、上述したＰＮ型の２心用プラグに類似したものがＦ０７形にもある。このＦ０７形の２心用プラグは、図示しないが、単に位置決め用凸部の数と位置とがＰＮ型の２心用プラグの場合と異なるだけである。Ｆ０７形の２心用プラグでの位置決め用凸部は４つある。この４つの位置決め用凸部のうちの上側の２つはＰＮ型の場合と同じであるが、この同じである２つの位置決め用凸部１５１Ｗｂ、１５１Ｗｂに対をなすように係合凸部１５０Ｗの下面にそれぞれ位置決め用凸部が設けられた点が異なる。ＰＮ型の場合の係合凸部１５０Ｗの下面中央の位置決め用凸部１５１Ｗｂに相当するものは、Ｆ０７形の２心用プラグにはない。なお、Ｆ０７形の２心用プラグにおいて、係合凸部１５０Ｗの下面に一対設けられた位置決め用凸部は、後述のＦ０５形（単心用）光コネクタのプラグ１００の係合凸部１５０の下面の位置決め用凸部１５１ｂに対応した位置に設けられたものである。
【００３２】
このＦ０７形の２心用プラグもソケット２００等に挿入可能である。ただし、ソケット２００等の挿入穴部２２０等の形状上、ＰＮ型の２心用プラグ１００Ｗと下記Ｆ０５形の単心用プラグ１００とが挿入できれば、Ｆ０７形の２心用プラグも必然的に挿入可能であるため、以下、２心用プラグとしてはＰＮ型のものを代表にする。
【００３３】
一方、図８に示されるＦ０５形光コネクタのプラグ１００は、単心用プラグ（ＥＩＡＪ規格では角形プラグと呼ばれるもの）であって、１つの光ファイバ１１０の端部側に設けられており、略直方体状のプラグ本体部１２０と、このプラグ本体部１２０の先端側に突設された係合凸部１５０とを備えている。この単心用光コネクタのプラグ１００には、前記２心用光コネクタのプラグ１００Ｗのロック機構１６０Ｗのようなものはない。
【００３４】
係合凸部１５０は、正面視においてホームベースの下側をカットしたような略六角形状（以下、この形状を「正面視略六角形状」と略す。）をしており、全体がソケット２００等の挿入穴部２２０等に係合される部分である。
この係合凸部１５０は、プラグ本体部１２０Ｗ側の部分であり、その先端側に凹部１５２を有する係合凸部本体１５１と、凹部１５２の中心部分に突設され、ソケット２００等のプラグ先端保持部２２９等と係合するプラグ先端部１５９とを有している。
【００３５】
係合凸部１５０の両側面には、ソケット２００等の挿入穴部２２０等のプラグガイド用凹部２２１、２２１と係合する挿入ガイド用凸部１５１ａ、１５１ａが突設されている。
係合凸部１５０の上面と下面とには、ソケットへの位置決め用凸部１５１ｂ、１５１ｂが突設されている。
係合凸部１５０の下面側には、斜辺面１５１ｃ、１５１ｃが形成されている。係合凸部本体１５１の先端には、テーパ１５１ｔが設けられている。
【００３６】
凹部１５２は、ソケット２００等の挿入穴部２２０等の奥側に設けられたプラグ先端保持部２２９等がＥＩＡＪ規格の奥行きを有したものであれば、このプラグ先端保持部２２９等の突出部分と係合する部分である。
【００３７】
プラグ先端部１５９は、正面視円形であり、光ファイバ１１０の先端側部分の外周を保護樹脂部１５９ａで覆ったものである。この保護樹脂部１５９ａの先端には、テーパ１５９ｔが設けられている。
【００３８】
本発明の実施の形態に係る２心用光コネクタのソケット２００は、図１等に示されるように、プラグ１００Ｗまたはプラグ１００（以下、プラグ１００Ｗ等とも呼ぶ。）が挿入される挿入穴部２２０を有するハウジング部２０５と、挿入穴部２２０を略閉塞するために挿入穴部２２０の入口側にヒンジ構造によって取り付けられて挿入穴部２２０の内側にだけ開くシャッタ部２１０と、このシャッタ部２１０を前記入口側へ付勢する弾性体部２３０（図２参照）と、シャッタ部２１０と弾性体部２３０とを支え前記ヒンジ構造のための部材となっている軸部２４０と、挿入穴部２２０の奥側に設けられる一対の光素子２９０と、ハウジング部２０５に被せられるシールドカバー２９５（図２参照）とを備えている。
【００３９】
ソケット２００は、シャッタ部２１０に関連して次の（１）〜（４）のような特徴を有している。なお、以下の説明における上下左右・前後・奥側等の方向は、図２（Ｂ）〔正面図〕における方向である。
【００４０】
（１）シャッタ部２１０の前面には、プラグ１００Ｗが挿入穴部２２０に挿入されたときにプラグ１００Ｗのロック用爪部１６２Ｗが係合するロック用凹部２１８が設けられている。
【００４１】
（２）ハウジング部２０５は、シャッタ部２１０が背後からヒンジ構造によって取り付けられる穴部２２０ａ（図３参照）を有する第１のハウジング部２０５Ｍと、この第１のハウジング部２０５Ｍが挿入される穴部２０５Ｎ１（図４参照）を有する第２のハウジング部２０５Ｎとを備えており、挿入穴部２２０は、第１のハウジング部２０５Ｍの穴部２２０ａと第２のハウジング部２０５Ｎの穴部２０５Ｎ１の奥側とで構成される。
【００４２】
（３）第１のハウジング部２０５Ｍと、第２のハウジング部２０５Ｎとの間には、挿入穴部２２０に挿入されたプラグ１００Ｗ等が、シャッタ部２１０を介して第１のハウジング部２０５Ｍを、第２のハウジング部２０５Ｎに向かって押圧する係止手段が設けられている。
【００４３】
（４）前記係止手段は、具体的には、プラグ１００Ｗ等が挿入穴部２２０に挿入されたときにシャッタ部２１０が圧接される第１のハウジング部２０５Ｍの領域に突設された係止用爪部２０５Ｍ２とこの領域に向かい合う第２のハウジング部２０５Ｎの領域に係止用爪部２０５Ｍ２と係合するように設けられた穴部２０５Ｎ４とからなる。
【００４４】
以下、ソケット２００の各パーツを詳細に説明する。
【００４５】
ハウジング部２０５は、合成樹脂製であって、後に詳述する第１のハウジング部２０５Ｍと、第２のハウジング部２０５Ｎとの２つからなる。ハウジング部２０５（即ち、前記２つが組み合わされた状態）は、略直方体であり、その正面側からその奥側にかけて挿入穴部２２０が形成されている。この挿入穴部２２０の奥側に、一対の光素子２９０が挟持されて固定される一対の素子部屋部２５０（後述のように２つに分離可能となっている。）が設けられている。この素子部屋部２５０は、ここに設置された光素子２９０の光軸と、挿入穴部２２０に装着されたプラグ１００Ｗ等のプラグ先端部１５９Ｗ等の中心軸とが合うようにするため、且つ固定のために、光素子２９０の外形に沿った形状に形成されている。
【００４６】
この挿入穴部２２０と一対の素子部屋部２５０とを連通するように、それぞれプラグ先端保持部２２９としての貫通孔が設けられている。プラグ先端保持部２２９は、図２等に示されるように、ＥＩＡＪ規格サイズ（以下、「標準サイズ」とも呼ぶ。）よりも先端側が短く湾曲状に切欠きされている。このように切欠きされているのは、挿入穴部２２０の入口側にヒンジ構造によって取り付けられたシャッタ部２１０が内側に開いても接触しないようにするためである。
【００４７】
挿入穴部２２０は、左右対称に形成されており、プラグ１００Ｗの係合凸部１５０Ｗ（ただし、プラグ先端保持部２２９に嵌まり込むプラグ先端部１５９Ｗの先端側部分を除く。）とロック機構１６０Ｗの係止部１６１Ｗとを挿入する空間２２４と、この空間２２４から延設した、シャッタ部２１０を水平格納可能なスペース２２５とを有している。空間２２４には、プラグ１００Ｗの係合凸部１５０Ｗの代わりに、プラグ１００の係合凸部１５０（ただし、プラグ先端保持部２２９に嵌まり込むプラグ先端部１５９の先端側部分を除く。）が挿入穴部２２０の右端に略接する状態で、または、左端に略接する状態で合計２つまで挿入可能になっている。
【００４８】
挿入穴部２２０の両側面には、プラグ１００Ｗの挿入ガイド用凸部１５１Ｗａ、１５１Ｗａと係合するプラグガイド用凹部２２１、２２１が設けられている。なお、挿入穴部２２０にプラグ１００が挿入されたときには、前記プラグガイド用凹部２２１、２２１の一方側と挿入ガイド用凸部１５１ａ、１５１ａの一方側とが係合される。
【００４９】
また、プラグ１００Ｗの係合凸部１５０Ｗの斜辺面１５１Ｗｃ、１５１Ｗｃに対応する部分として、挿入穴部２２０の下部側両側面に傾斜面部２２２、２２２が設けられている。挿入穴部２２０にプラグ１００が挿入されたときには、前記傾斜面部２２２、２２２の一方側が、プラグ１００の斜辺面１５１ｃ、１５１ｃの一方側と対応する部分になっている。
更に、挿入穴部２２０の底面には、プラグ１００Ｗの下側の位置決め用凸部１５１Ｗｂと、２つのプラグ１００の下側の位置決め用凸部１５１ｂとに対応する貫通していない位置決め用穴２２３、２２３、２２３（図２等参照）が設けられている。
【００５０】
傾斜面部２２２には、後述のシャッタ部２１０の係止用凸部２１１ａ〔図５（Ｂ）参照〕の通過と係止（この係止とは、シャッタ部２１０を垂直状態よりも前方に回動させないための係止を言う。）のため、貫通していない長穴２２２ａ〔図２（Ｄ）等参照〕が形成されている。長穴２２２ａの長さ寸法は、挿入穴部２２０の入口側にヒンジ構造によって取り付けられたシャッタ部２１０が、挿入穴部２２０の奥側に回動させられたときに、係止用凸部２１１ａが挿入穴部２２０の内面に引っ掛からないような長さに形成されている。長穴２２２ａの前面側の端部の位置は、シャッタ部２１０が、挿入穴部２２０の入口側を略閉塞した状態、即ち、シャッタ部２１０が垂直状態となっているときに、係止用凸部２１１ａの前面が位置する所である。よって、シャッタ部２１０は、垂直状態よりも前方に回動しない。
【００５１】
挿入穴部２２０の両側面の入口側上部には、軸部２４０の両端部分を支えるための溝２２６、２２６〔図３（Ｄ）参照〕が設けられている。
【００５２】
ハウジング部２０５の上面には、シールドカバー２９５を係合させるための浅溝部２０５Ｎ２〔図４参照〕が設けられている。ハウジング部２０５の両側面には、シールドカバー２９５を係合させるための一対の楔状部２０５Ｎ３が設けられている。なお、シールドカバー２９５でカバーされるハウジング部２０５の上部には、前記係止手段の係止用爪部２０５Ｍ２と穴部２０５Ｎ４とが後述のように組み合わされて設けられている。
【００５３】
このようなハウジング部２０５を構成する第１のハウジング部２０５Ｍと第２のハウジング部２０５Ｎとは以下のようになっている。
【００５４】
第１のハウジング部２０５Ｍは、図３に示されるように、正面視および平面視略矩形状体であって、その正面側からその奥側にかけて前記穴部２２０ａが形成されている。第１のハウジング部２０５Ｍは、穴部２２０ａの奥側上部に、挿入穴部２２０の奥上面側部分を取り除いて形成された奥側開口部２０５Ｍ１を有している。
【００５５】
この奥側開口部２０５Ｍ１は、弾性体部２３０が軸部２４０に通され且つこれらをシャッタ部２１０の所定の位置に嵌め込んだものを、穴部２２０ａの内側まで挿入しうる大きさに開口されている。
【００５６】
奥側開口部２０５Ｍ１よりも前側の第１のハウジング部２０５Ｍの上面には、前記係止手段の一対の係止用爪部２０５Ｍ２が突設されている。この係止用爪部２０５Ｍ２は、第２のハウジング部２０５Ｎの穴部２０５Ｎ４に係合される部分である。
【００５７】
第１のハウジング部２０５Ｍの背面側には、素子部屋部２５０の前面側部２５０Ｍが形成されている。
【００５８】
第１のハウジング部２０５Ｍの穴部２２０ａには、前記溝２２６の主要部分である溝２２６ａも含まれている。溝２２６ａは、略横向きＵ字状に形成されている。この奥側の湾曲部２２６ａ１  は穴部２２０ａの入口側に形成されている。この溝２２６ａの残りの部分は、第２のハウジング部２０５Ｎの後述する凸部２０５Ｎ５が、この溝２２６ａ上であって、穴部２２０ａの奥側部分に嵌まり込むことによって形成される。
【００５９】
前記係止用爪部２０５Ｍ２の下方の穴部２２０ａの天井面には、弾性体部２３０が軸部２４０に通され且つこれらをシャッタ部２１０の所定の位置に嵌め込んだものを溝部２２６、２２６にセットした際に、弾性体部２３０の一方側（上部側）を係止するための凸部２０５Ｍ３が下方に向かって突設されている。
【００６０】
前記長穴２２２ａも第１のハウジング部２０５Ｍに含まれている。ただし、第１のハウジング部２０５Ｍに含まれている長穴２２２ａの部分は、貫通して形成されている。一方、第２のハウジング部２０５Ｎには、長穴２２２ａは至っておらず、長穴２２２ａの底面が第２のハウジング部２０５Ｎの内面により形成されている。
【００６１】
位置決め用穴２２３、２２３、２２３も第１のハウジング部２０５Ｍに含まれている。ただし、第１のハウジング部２０５Ｍに含まれている位置決め用穴２２３、２２３、２２３の部分は、貫通して形成されている。位置決め用穴２２３、２２３、２２３の底面は第２のハウジング部２０５Ｎの内面により形成されている。
【００６２】
第１のハウジング部２０５Ｍの外面部分であって、両側面奥側中央部には、第１のハウジング部２０５Ｍと第２のハウジング部２０５Ｎとの間の後述する基本的な係止のための山状の突出部２０５Ｍ４がそれぞれ設けられている。この突出部２０５Ｍ４は、第２のハウジング部２０５Ｎの後述の穴部２０５Ｎ６に係合されるように形成されている。
【００６３】
第２のハウジング部２０５Ｎは、図４に示されるように、略直方体であり、その正面側からその奥側にかけて前記穴部２０５Ｎ１が形成されている。この穴部２０５Ｎ１には、天井面に開口された一対の穴部２０５Ｎ４と、両側面に開口された穴部２０５Ｎ６と、底面に開口された一対の穴部２０５Ｎ７と、奥側に設けられた一対の素子部屋部２５０の背面側部２５０Ｎとが形成されている。
【００６４】
穴部２０５Ｎ４は、上述したように前記係止手段の一方側をなすもので、第１のハウジング部２０５Ｍの係止用爪部２０５Ｍ２に係合させるためのものである。
穴部２０５Ｎ６は、第１のハウジング部２０５Ｍの突出部２０５Ｍ４に係合させるためのものである。
穴部２０５Ｎ７は、光素子２９０の下部側を引き出すため、および光素子２９０を所定の位置にセットするための挿入ルートとして、貫通した穴になっている。
【００６５】
なお、穴部２０５Ｎ１には、前記溝２２６の溝２２６ａと組み合わされる凸部２０５Ｎ５も突設されている。
また、穴部２０５Ｎ１には、第２のハウジング部２０５Ｎに第１のハウジング部２０５Ｍを挿入（やや圧入）する際に突出部２０５Ｍ４が通過するルート上に、手前から浅溝部２０５Ｎ８ａ、傾斜面部２０５Ｎ８ｂ、溝無し部２０５Ｎ８ｃ、前記穴部２０５Ｎ６となっている。なお、前記穴部２０５Ｎ４の手前側にも、第２のハウジング部２０５Ｎに第１のハウジング部２０５Ｍを挿入する際に係止用爪部２０５Ｍ２が通過するルート上に、手前から浅溝部、傾斜面部、溝無し部が設けられている。
【００６６】
第２のハウジング部２０５Ｎの外面部分には、前記浅溝部２０５Ｎ２と、前記一対の楔状部２０５Ｎ３とが設けられている。
【００６７】
シャッタ部２１０は、合成樹脂製であって、挿入穴部２２０の入口に嵌まり込むことが可能（もちろん入口から奥側にも嵌まり込むことが可能）な略矩形状体である。シャッタ部２１０の前面側の両端下部には、挿入穴部２２０の傾斜面部２２２、２２２に対応する斜辺面２１１、２１１が設けられている。この斜辺面２１１、２１１から突出するように、係止用凸部２１１ａ、２１１ａが設けられている。この係止用凸部２１１ａは、上述したように挿入穴部２２０の長穴２２２ａに係合され、シャッタ部２１０を垂直状態よりも前方に回動させないためのものである。
【００６８】
シャッタ部２１０の前面側には、プラグ１００Ｗのロック用爪部１６２Ｗが係合するロック用凹部２１８と、このロック用凹部２１８の両側にそれぞれ設けられた位置決め用凹部２１２、２１２とが形成されている。位置決め用凹部２１２、２１２は、プラグ１００Ｗの上側の位置決め用凸部１５１Ｗｂ、１５１Ｗｂが嵌まり込むものである。また、位置決め用凹部２１２は、プラグ１００の上側の位置決め用凸部１５１ｂが嵌まり込むものでもある。
【００６９】
シャッタ部２１０の背面側上部には、軸部２４０を保持するための側面視略Ｃ字状の凹部２１４を有した突出部２１３が設けられている。この突出部２１３には、弾性体部２３０の後述のバネ本体部２３０ａ付近が挿入される凹部２１５が一対形成されている。シャッタ部２１０の背面側であって、前記ロック用凹部２１８の背面には凸部２１６が設けられている。この凸部２１６は、ロック用凹部２１８を有底状態で形成するために突出している。また、凸部２１６は、挿入穴部２２０にセットされたシャッタ部２１０がプラグ１００Ｗ等によって回動させられて第１のハウジング部２０５Ｍの係止用爪部２０５Ｍ２付近をその上方の第２のハウジング部２０５Ｎの穴部２０５Ｎ４付近に向かって押圧するようにするためのものでもある。
【００７０】
前記押圧の目的は、後述するようにプラグ１００Ｗのロック用爪部１６２Ｗとロック用凹部２１８との間のロックが解除されない状態でプラグ１００Ｗがソケット２００から抜かれようとする外力がかかっているときに、係止用爪部２０５Ｍ２と穴部２０５Ｎ４との間の係止を強くすることで、かかるときに第１のハウジング部２０５Ｍから第２のハウジング部２０５Ｎが抜け出てしまうのを防止することにある。
【００７１】
即ち、前記外力がかかっているときに、係止用爪部２０５Ｍ２が下方に変位して穴部２０５Ｎ４から抜け出ようとするのを、凸部２１６による前記押圧で押し止めるのである。そのため、前記押圧は、前記外力がかかっているときに、少なくとも掛かればよく、プラグ１００Ｗがソケット２００の挿入穴部２２０に挿入されているときに必ずしも常に掛からなくてもよい。つまり、凸部２１６の突出高さは、前記外力がかかっているときに、係止用爪部２０５Ｍ２が下方に変位して穴部２０５Ｎ４から抜け出ようとするのを押し止める寸法であればよい。
【００７２】
即ち、前記外力がかかって係止用爪部２０５Ｍ２が下方に変位して穴部２０５Ｎ４から抜け出ようとする寸前に凸部２１６の上面が係止用爪部２０５Ｍ２の底面に当接すれば、凸部２１６が係止用爪部２０５Ｍ２の底面側に当接しないときよりも係止を強くすることに効果があることになる。ハウジング部２０５が多少変形するものであること等を考慮すると、前記外力がかかって係止用爪部２０５Ｍ２が下方に変位して穴部２０５Ｎ４から抜け出ようとする寸前に凸部２１６が係止用爪部２０５Ｍ２の底面側に当接するだけでは前記効果が小さい。よって、凸部２１６の突出高さは、プラグ１００Ｗがソケット２００の挿入穴部２２０に挿入されているときであって、前記外力が掛かってないときに、凸部２１６の上面が係止用爪部２０５Ｍ２の底面に当接する寸法程度が好ましい。
【００７３】
なお、ハウジング部２０５を図２等に示されるような上下方向に薄型に構成した場合には、第１のハウジング部２０５Ｍの係止用爪部２０５Ｍ２付近を含む上部側の部分と第２のハウジング部２０５Ｎの穴部２０５Ｎ４付近を含む上部側の部分とは、他よりも肉厚が薄いために、プラグ１００Ｗ等が挿入されていないときに、図示はしないが実際には若干垂れ下がるように若干変形する。そのため、この場合の凸部２１６の突出高さは、凸部２１６による前記押圧によって、前記若干垂れ下がる変形分を、変形がない状態程度となるように押し上げる寸法にする。
【００７４】
もし、前記肉厚が薄い部分を厚めにして、前記変形が無視できる程度になっているときには、上述したように、凸部２１６の突出高さは、プラグ１００Ｗがソケット２００の挿入穴部２２０に挿入されているときであって、前記外力が掛かってないときに、凸部２１６の上面が係止用爪部２０５Ｍ２の底面に当接する寸法程度にする。ここでは、前記若干変形があるものとして以下説明する。
【００７５】
また、シャッタ部２１０の背面側であって、凸部２１６の両側には、それぞれ凸部２１６と同じ突出高さ寸法の凸部２１７、２１７が設けられている。この凸部２１７、２１７も、第１のハウジング部２０５Ｍの係止用爪部２０５Ｍ２付近を上側の第２のハウジング部２０５Ｎに向かって押圧するようにするためのものである。なお、凸部２１６と凸部２１７との間の凹部２１９は、弾性体部２３０の後述の棒状延設部２３０ｂ、２３０ｂが入り込むスペースとなっている。ただし、上側の棒状延設部２３０ｂは、シャッタ部２１０が水平付近まで回動されたときのみ前記スペースに入り込む。
【００７６】
なお、シャッタ部２１０には、プラグガイド用凹部２２１、２２１の前方を閉塞するものは設けられていない。そのため、挿入穴部２２０の入口はシャッタ部２１０によって完全には閉塞されない。
【００７７】
弾性体部２３０は、ねじりコイルバネである。弾性体部２３０は、数ターン密接に巻かれたコイル状のバネ本体部２３０ａと、このバネ本体部２３０ａの一端と他端とから延設された棒状延設部２３０ｂ、２３０ｂとからなる。棒状延設部２３０ｂと２３０ｂとの角度は、シャッタ部２１０に付勢力を与えることができるように少なくとも９０°以上とされている。
【００７８】
軸部２４０は、金属製等の比較的強度の高い材質でできた円柱状の棒である。軸部２４０の長さ寸法は、シャッタ部２１０の幅寸法より少し長めであって、軸部２４０の両端がハウジング部２０５の溝２２６、２２６に係合されるようになっている。
【００７９】
一対の光素子２９０は、発光素子と受光素子とである。
【００８０】
シールドカバー２９５は、略コ字状をしたシールド用金属体である。またシールドカバー２９５は、ハウジング部２０５を、ソケット２００が設けられる装置の基板に固定するためのものでもある。そのため、シールドカバー２９５は、ハウジング部２０５の上面から両側面にかけて設けられるシールド本体２９５Ａと、このシールド本体２９５Ａの下端から延設された固定用突出部２９５Ｂとからなる。シールド本体２９５Ａの両側面には、ハウジング部２０５の両側面の楔状部２０５Ｎ３、２０５Ｎ３に係合する穴２９５Ａ１、２９５Ａ１が開口されている。固定用突出部２９５Ｂは、略く字状のものであって、前記装置の基板の固定用穴に挿入され半田固定される部分である。
【００８１】
このように構成されたソケット２００は、例えば、次のようにして組み立てられる。
【００８２】
先ず、弾性体部２３０のバネ本体部２３０ａの穴に軸部２４０を挿入する。この状態のものをシャッタ部２１０にセットする。この際、弾性体部２３０のバネ本体部２３０ａは凹部２１５に嵌め込み、一方、軸部２４０は凹部２１４に嵌め込む。この状態のものを第１のハウジング部２０５Ｍの奥側開口部２０５Ｍ１から穴部２２０ａ内に挿入する。この際、シャッタ部２１０の係止用凸部２１１ａ、２１１ａを第１のハウジング部２０５Ｍの長穴２２２ａ、２２２ａの前側に嵌め込みつつ、シャッタ部２１０の上部側を起こす。
【００８３】
そうすると、軸部２４０の両端が第１のハウジング部２０５Ｍの溝２２６ａに嵌め込まれるとともに、弾性体部２３０の上側の棒状延設部２３０ｂが凸部２０５Ｍ３に係止される。これにより、シャッタ部２１０は第１のハウジング部２０５Ｍに保持されている。ここで、第１のハウジング部２０５Ｍを第２のハウジング部２０５Ｎにセットした際にできる一対の素子部屋部２５０にそれぞれ光素子２９０をセットすべく、第２のハウジング部２０５Ｎの穴部２０５Ｎ７から光素子２９０を背面側部２５０Ｎに嵌め込む。この際、第２のハウジング部２０５Ｎは、その背面側に倒しておく。
【００８４】
第２のハウジング部２０５Ｎの穴部２０５Ｎ１に対して、シャッタ部２１０等をセットした第１のハウジング部２０５Ｍを挿入（やや圧入）すると、凸部２０５Ｎ５が軸部２４０の背面側を規制するように溝２２６ａの所定位置に嵌まり込む。一方、突出部２０５Ｍ４が、浅溝部２０５Ｎ８ａを通過し、傾斜面部２０５Ｎ８ｂ経由で溝無し部２０５Ｎ８ｃを乗り越えて穴部２０５Ｎ６に嵌まり込む。即ち、突出部２０５Ｍ４と穴部２０５Ｎ６との間が係止される。また、係止用爪部２０５Ｍ２が穴部２０５Ｎ４の手前の浅溝部を通過し、傾斜面部を経由して溝無し部を乗り越えて穴部２０５Ｎ４に嵌まり込む。即ち、係止用爪部２０５Ｍ２と穴部２０５Ｎ４との間が係止される。以上によりソケット２００の組み立ては完了する。
【００８５】
ソケット２００はこのように構成されているので、第１のハウジング部２０５Ｍの奥側開口部２０５Ｍ１と長穴２２２ａ、２２２ａと、位置決め用穴２２３、２２３、２２３と、第２のハウジング部２０５Ｎの一対の穴部２０５Ｎ４、２０５Ｎ６、２０５Ｎ７とは、第１のハウジング部２０５Ｍと第２のハウジング部２０５Ｎとが組み合わされた段階で閉塞される。また、挿入穴部２２０の入口側はシャッタ部２１０によって略閉塞される。
【００８６】
よって、ソケット２００は、プラグ１００Ｗ等が挿入されていないときに、挿入穴部２２０が略閉塞されるので、埃等の侵入を防止できる。
【００８７】
また、ソケット２００は、ハウジング部２０５を第１のハウジング部２０５Ｍと第２のハウジング部２０５Ｎとの組み合わせで構成しているが、プラグ１００Ｗ等が挿入されていないときには、一対の突出部２０５Ｍ４と一対の穴部２０５Ｎ６との間の基本的な係止（係止の強さがプラグ１００Ｗ等を挿入穴部２２０に挿入しても挿入しなくてもほぼ変化しない。）と、一対の係止用爪部２０５Ｍ２と一対の穴部２０５Ｎ４との間の補強的な係止等（この「等」は、第１のハウジング部２０５Ｍと第２のハウジング部２０５Ｎと間の摩擦であり、前記基本的な係止よりも十分小さいので、以下、説明上省略する。）とによって、ソケット２００の各パーツが分離することはない。なお、前記補強的な係止は、前記係止手段による係止である。
【００８８】
プラグ１００Ｗが挿入穴部２２０に挿入されたときには、プラグ１００によってシャッタ部２１０が奥側に回動され、プラグ１００Ｗの上側にシャッタ部２１０が水平になっている。このシャッタ部２１０の背面と第２のハウジング部２０５Ｎの穴部２２０ａの天井面との間には弾性体部２３０が折れ曲げられた状態になっている。そのため、弾性体部２３０によって、シャッタ部２１０がプラグ１００Ｗを挿入穴部２２０の底面側に押圧している。プラグ１００Ｗは、挿入穴部２２０の底面側に押し返されるので、プラグ１００Ｗがシャッタ部２１０を押し返す。このとき、シャッタ部２１０の背面の凸部２１６、２１７、２１７によって、第１のハウジング部２０５Ｍの一対の係止用爪部２０５Ｍ２が第２のハウジング部２０５Ｎの一対の穴部２０５Ｎ４側に圧接される。
【００８９】
よって、係止用爪部２０５Ｍ２が穴部２０５Ｎ４から抜け出るように変位するのは防止される。したがって、プラグ１００Ｗが挿入穴部２２０に挿入されたときには、挿入前と比較して、一対の係止用爪部２０５Ｍ２と一対の穴部２０５Ｎ４との間の補強的な係止が、より強くなる。また、この際、弾性体部２３０も、係止用爪部２０５Ｍ２を穴部２０５Ｎ４側に圧接するように働いており、前記補強的な係止をより強くするように寄与している。
【００９０】
一方、シャッタ部２１０のロック用凹部２１８とプラグ１００Ｗのロック用爪部１６２Ｗとの間の係止によって、プラグ１００Ｗとソケット２００との間がロックされる。また、プラグ１００Ｗの上側の２つの位置決め用凸部１５１Ｗｂと、シャッタ部２１０の位置決め用凹部２１２、２１２とが軽係合力で係合されるとともに、プラグ１００Ｗの下側の位置決め用凸部１５１Ｗｂと、ハウジング部２０５の位置決め用穴２２３とが軽係合力で係合される。また、シャッタ部２１０が挿入穴部２２０の内面に当接して、シャッタ部２１０の前面側が、挿入穴部２２０の他の内面や一対のプラグ先端保持部２２９と共にプラグ１００Ｗの保持に寄与している。したがって、プラグ１００Ｗとソケット２００との間の接続性が良好な状態に保たれる。
【００９１】
また、前記ロックが解除されない状態で、例えばプラグ１００Ｗの光ファイバ１１０が不用意に引っ張られても、一対の係止用爪部２０５Ｍ２と一対の穴部２０５Ｎ４との間の補強的な係止は強いままである。また、軸部２４０を強度の高い材質としているので、シャッタ部２１０に取り付けた軸部２４０がハウジング部２０５から抜けにくくなっている。したがって、ソケット２００の各パーツが分離するのを効果的に防止できる。
【００９２】
また、スライド式カバー体１３０Ｗを手前にスライドさせてプラグ１００Ｗとソケット２００との間のロックを解除しつつ、プラグ１００Ｗをソケット２００から引き抜くときには、一対の突出部２０５Ｍ４と一対の穴部２０５Ｎ６との間の基本的な係止等が働いている上に、一対の係止用爪部２０５Ｍ２と一対の穴部２０５Ｎ４との間の補強的な係止が前記強い状態より緩やかにではあるが働いているので、ソケット２００の各パーツが分離することはない。
【００９３】
プラグ１００Ｗの代わりにプラグ１００が挿入穴部２２０に挿入されると、プラグ１００Ｗと基本的に同様となる。即ち、シャッタ部２１０の背面の凸部２１６、２１７によって、第１のハウジング部２０５Ｍの係止用爪部２０５Ｍ２が第２のハウジング部２０５Ｎの穴部２０５Ｎ４側に圧接される。そのため、係止用爪部２０５Ｍ２と穴部２０５Ｎ４との間の補強的な係止は、プラグ１００が挿入穴部２２０に挿入される前よりも強くなる。また、この際、弾性体部２３０も前記補強的な係止をより強くするように寄与している。
【００９４】
一方、プラグ１００の上側の位置決め用凸部１５１ｂと、シャッタ部２１０の位置決め用凹部２１２とが軽係合力で係合されるとともに、プラグ１００の下側の位置決め用凸部１５１ｂと、ハウジング部２０５の位置決め用穴２２３とが軽係合力で係合される。また、シャッタ部２１０が挿入穴部２２０の内面に当接して、シャッタ部２１０の前面側が、挿入穴部２２０の他の内面（一方の側面と、底面）やプラグ先端保持部２２９と共にプラグ１００の保持に寄与している。これにより、プラグ１００とソケット２００との間の接続性が保たれる。
【００９５】
また、プラグ１００の場合には、もともとプラグ１００自体にロック機構がないので、例えばプラグ１００の光ファイバ１１０が不用意に引っ張られても、ソケット２００からプラグ１００が抜けることはあっても、ソケット２００にさほど大きな力がかかるわけではない。また、プラグ１００をソケット２００から抜くときも、ソケット２００にさほど大きな力がかかるわけではない。よって、プラグ１００の場合にも、ソケット２００の各パーツが分離するのを効果的に防止できる。
【００９６】
なお、本発明の実施の形態に係るソケット２００においては、突出部２０５Ｍ４と穴部２０５Ｎ６との間で基本的な係止をするようにしているが、係止用爪部２０５Ｍ２と穴部２０５Ｎ４との間での補強的な係止だけでも、基本的な係止を兼ねることも可能である。即ち、突出部２０５Ｍ４と穴部２０５Ｎ６との間での基本的な係止は設ける方がよいものの省くことも可能である。
【００９７】
本発明の実施の形態に係るソケット２００においては、ハウジング部は２つから構成されているとしているが、もちろん３つ以上から構成されていてもよいことは言うまでもない。また、ハウジング部は１つでもよい。なお、ハウジング部が２つから構成されている場合であっても、分割箇所は上述に限定しないことは言うまでもなく、例えば、上下や左右に分割してもよい。
【００９８】
ただし、例えば１つのハウジング部の場合には、シャッタ部と軸部と弾性体部とを挿入穴部の入口側に設ける方法等が例えば次のように異なる。軸部は横から挿入する。そのために、ハウジング部において、前記軸部を固定する位置の横の位置に前記軸部を挿入固定するための貫通孔を設ける。また、シャッタ部の背面側上部の突出部には、前記軸部を保持するための側面視略Ｃ字状の凹部の代わりに、前記軸部を保持するための貫通孔が設けられている。
【００９９】
また、組み立てのために、図示しない専用棒と専用治具とを使用する。前記専用棒は、前記軸部と同様の棒であって、その長さ寸法がシャッタ部の横幅寸法と同じまたは若干短いものである。前記専用治具は、シャッタ部を挿入穴部内にて水平セット可能とするためのものであって、側面視略Ｌ字状のシャッタ部搭載台と、この搭載台から延設した把手とからなるものである。前記搭載台の大きさはもちろん挿入穴部の大きさよりも小さい。
【０１００】
先ず、シャッタ部に弾性体部をセットしつつ、前記専用棒を前記軸部をセットする予定の位置にセットする。ただし、前記軸部よりも短い前記専用棒はシャッタ部の両端からはみ出さないようにセットする。この状態のシャッタ部をその表側を下側にして、水平状態とした上で、前記専用治具に載置する。シャッタ部を載置した専用治具の搭載台側を挿入穴部に挿入する。この際、シャッタ部の背面に保持されている弾性体部は、その両端とともに挿入穴部内に納まるように押し曲げつつ、挿入穴部の上部のスペースに挿入される。この状態において、シャッタ部は組み立て後に回動されて水平になったときと同様になる。この状態を維持しつつ、前記専用棒を押し出すように前記軸部をセットするとよい。
【０１０１】
このように１つのみからなるハウジング部の場合には、ハウジング部が２つから構成されている場合と比較して、シャッタ部の取り付けが、専用治具等必要で且つ手間のかかるものになっている。また、ハウジング部が１つのみからなる場合には、金型が複雑で取り個数が少なくなる。よって、ハウジング部は１つよりも２つから構成されている方が好ましい。
【０１０２】
本発明の実施の形態に係る２心用光コネクタのソケット２００では、シールドカバー２９５を設けたが、シールドカバー２９５を設けないようにすることもできる。この場合には、例えば、第２のハウジング部２０５Ｎの下端から前記装置の基板側に係止突起を設けて、この係止突起によって、ソケットを前記基板に固定するようにすればよい。
【０１０３】
本発明の実施の形態に係る２心用光コネクタのソケット２００では、前記係止手段として、第１のハウジング部２０５Ｍに係止用爪部２０５Ｍ２、第２のハウジング部２０５Ｎに穴部２０５Ｎ４を設けたが、この代わりに第１のハウジング部２０５Ｍに穴部２０５Ｎ４と同様の穴部を設け、第２のハウジング部２０５Ｎに係止用爪部２０５Ｍ２と同様の係止用爪部を設けてもよい（即ち、逆配置してもよい）。
【０１０４】
本発明の実施の形態に係る２心用光コネクタのソケット２００では、一対の光素子２９０は、発光素子と受光素子とであるとしたが、その代わりに２つの発光素子または２つの受光素子であってもよい。
【０１０５】
本発明の実施の形態に係る２心用光コネクタのソケット２００では、弾性体部２３０を２つ設けられるようにしているが、どちらか一方だけ設けてもよい。
【０１０６】
本発明の実施の形態に係る２心用光コネクタのソケット２００では、シャッタ部２１０にプラグガイド用凹部２２１、２２１の前方を閉塞するものは設けられていないが、シャッタ部２１０にプラグガイド用凹部２２１、２２１の前方を閉塞する突起を設けてもよい。この場合、変更後のシャッタ部が回動するときに前記突起が通過する挿入穴部内のルートに溝を形成すればよい。
【０１０７】
本発明の実施の形態に係る２心用光コネクタのソケット２００の各パーツの材質は上述のものが代表的なものであるが、上述のものに限定しないことは言うまでもない。
【０１０８】
次に、本発明の別の実施の形態に係る２心用光コネクタのソケット２００Ａを図９を参照しつつ説明する。
図９は本発明の別の実施の形態に係る光コネクタのソケットを示す概略的断面的説明図である。なお、ソケット２００の場合と同様のものには同じ番号を付している。
【０１０９】
ソケット２００Ａは、前記係止手段の代わりの係止手段を設けるために、ソケット２００のシャッタ部２１０と第１のハウジング部２０５Ｍとを、次のように一部変更して、それぞれシャッタ部２１０Ａと第１のハウジング部２０５ＭＡとしたものである。なお、第１のハウジング部２０５ＭＡとしたことで、挿入穴部２２０は一部変更された挿入穴部２２０Ａとなっている。
【０１１０】
シャッタ部２１０Ａは、シャッタ部２１０の背面側に係止用爪部２１０Ａ１を突設したものである。第１のハウジング部２０５ＭＡは、第１のハウジング部２０５Ｍにおいて、係止用爪部２０５Ｍ２を取り去ったものである。よって、挿入穴部２２０Ａは、挿入穴部２２０から係止用爪部２０５Ｍ２を取り去ったものである。なお、第２のハウジング部２０５Ｎの穴部２０５Ｎ４は、挿入穴部２２０Ａにプラグ１００Ｗ等が挿入されたときに、係止用爪部２１０Ａ１が係合されるものになっている。
【０１１１】
即ち、前記代わりの係止手段は、係止用爪部２１０Ａ１と、穴部２０５Ｎ４とからなる。この係止手段は、挿入穴部２２０Ａに挿入されたプラグ１００Ｗ等が、シャッタ部２１０Ａの係止用爪部２１０Ａ１を、第２のハウジング部２０５Ｎの穴部２０５Ｎ４に向かって押圧するものである。
【０１１２】
このように構成すると、挿入穴部２２０Ａにプラグ１００Ｗ等が挿入されたときに、シャッタ部２１０Ａが第２のハウジング部２０５Ｎに強く係止される。よって、前記ロックが解除されない状態で、例えばプラグ１００Ｗの光ファイバ１１０が不用意に引っ張られても、プラグ１００Ｗをソケット２００Ａから引き抜く力が、シャッタ部２１０Ａを軸支している軸部２４０にほとんどかからない状態となる。したがって、ソケット２００の場合よりも、ソケット２００Ａの場合の方が、各パーツは分離しにくい。また、ソケット２００Ａの場合の軸部２４０は、ソケット２００の場合の軸部２４０よりも、低い強度の材質で形成してもよい。
【０１１３】
ところで、図９においては図１同様にシールドカバー２９５に相当するものを図示していないが、ソケット２００Ａはシールドカバー２９５に相当するものを備えている。よって、穴部２０５Ｎ４から埃等は入らない。もし、シールドカバー２９５に相当するものを備えない場合に、挿入穴部２２０Ａの閉塞性を高めたいのであれば、係止用爪部２１０Ａ１の大きさをできるだけ小さくすればよい。そうすれば、穴部２０５Ｎ４の大きさも必然的に小さくできるからである。
【０１１４】
なお、本発明の別の実施の形態に係る光コネクタのソケット２００Ａの場合の係止用爪部２１０Ａ１と穴部２０５Ｎ４とは、同様のものを逆配置してもよいことは言うまでもない。
【０１１５】
次に、本発明の更に別の実施の形態に係る２心用光コネクタのソケット２００Ｂを図１０を参照しつつ説明する。
図１０は本発明の更に別の実施の形態に係る光コネクタのソケットを示す概略的断面的説明図である。なお、ソケット２００の場合と同様のものには同じ番号を付している。
【０１１６】
ソケット２００Ｂは、前記係止手段の代わりの係止手段を設けるために、ソケット２００の第１のハウジング部２０５Ｍと第２のハウジング部２０５Ｎとを、次のように一部変更して、それぞれ第１のハウジング部２０５ＭＢと第２のハウジング部２０５ＮＢとにしたものである。なお、第１のハウジング部２０５ＭＢと第２のハウジング部２０５ＮＢとにしたことで、挿入穴部２２０と穴部２０５Ｎ１とは一部変更された挿入穴部２２０Ｂと穴部２０５ＮＢ１となっている。
【０１１７】
第１のハウジング部２０５ＭＢは、第１のハウジング部２０５Ｍにおいて、係止用爪部２０５Ｍ２を爪のないものにする代わりに、プラグ１００Ｗ等が挿入穴部２２０Ｂに挿入されたときにプラグが圧接する領域としての挿入穴部２２０Ｂの底面に、上下方向に変位可能な舌片状の係止用爪部２０５ＭＢ１を設ける。
第２のハウジング部２０５ＮＢは、第２のハウジング部２０５Ｎにおいて、穴部２０５Ｎ４を塞ぐ代わりに、前記領域に対向する領域として穴部２０５ＮＢ１の底面に穴部２０５ＮＢ２を開口させたものである。
【０１１８】
即ち、前記代わりの係止手段は、係止用爪部２０５ＭＢ１と穴部２０５ＮＢ２とからなる。この係止手段は、挿入穴部２２０Ａに挿入されたプラグ１００Ｗ等が、第１のハウジング部２０５ＭＢの係止用爪部２０５ＭＢ１を、第２のハウジング部２０５ＮＢの穴部２０５ＮＢ２に向かって押圧するものである。係止用爪部２０５ＭＢ１と穴部２０５ＮＢ２との間の係止は、前記押圧によってより強くなる。
【０１１９】
なお、前記押圧は、図示しない弾性体部（弾性体部２３０と同様のもの）によって、シャッタ部２１０を介してプラグ１００Ｗ等が挿入穴部２２０Ｂの底面側に押圧されることによる。また、前記押圧は、プラグ１００Ｗのロック用爪部１６２Ｗとロック用凹部２１８との間のロックが解除されない状態でプラグ１００Ｗがソケット２００Ｂから抜かれようとする外力がかかって、係止用爪部２０５ＭＢ１が、穴部２０５ＮＢ２から抜け出る方向に変位すると、プラグ１００Ｗが抜け出るのを押し止めるときにも発生する。
【０１２０】
このように構成すると、第１のハウジング部２０５ＭＢと第２のハウジング部２０５ＮＢとの間の係止をより強くすることができるので、ソケット２００の場合と略同様にソケット２００Ｂの各パーツが分離しにくい。
【０１２１】
なお、本発明の更に別の実施の形態に係る光コネクタのソケット２００Ｂにおいて、係止用爪部２０５ＭＢ１と穴部２０５ＮＢ２とは、同様のものを逆配置してもよい。
【０１２２】
本発明の更に別の実施の形態に係る光コネクタのソケット２００Ｂにおいて、係止用爪部２０５ＭＢ１と穴部２０５ＮＢ２とに相当するものを第１のハウジング部と第２のハウジング部との側面側（即ち、挿入穴部の側面側）に設けてもよい。プラグ１００Ｗのロック用爪部１６２Ｗとロック用凹部２１８との間のロックが解除されない状態でプラグ１００Ｗがソケットから抜かれようとする外力がかかって、係止用爪部２０５ＭＢ１と同様の係止用爪部が、穴部２０５ＮＢ２と同様の穴部から抜け出る方向に変位すると、プラグ１００Ｗが抜け出るのを押し止めるからである。ただし、側面側に設けた場合には、係止を強める効果はあるものの、前記弾性体部による押圧がない分、係止が弱くなるので、上述したように挿入穴部２２０Ｂの底面側に、前記代わりの係止手段を設ける方がより効果的である。
【０１２３】
ところで、上述したように前記側面側に設けた場合でも、係止を強める効果がある程度あることから、後述するソケットＧのように、挿入穴部の入口側にシャッタ部と弾性体部とが設けられていない場合でも、係止用爪部２０５ＭＢ１と穴部２０５ＮＢ２とに相当するものを適用可能である。この場合、上述の構成に準じて、プラグ１００Ｗ等が係止用爪部２０５ＭＢ１と同様の係止用爪部を、穴部２０５ＮＢ２と同様の穴部から抜け出るのを防止するように構成すれば、前記係止用爪部と穴部とは、挿入穴部の底面側、側面側、天井面側のいずれに設けてもよい。
【０１２４】
次に、本発明の更に別の実施の形態に係る２心用光コネクタのソケット２００Ｃを図１１を参照しつつ説明する。
図１１は本発明の更に別の実施の形態に係る光コネクタのソケットを示す図であって、同図（Ａ）、同図（Ｂ）および同図（Ｃ）は概略的斜視図、同図（Ｄ）は概略的側面透視説明図である。なお、ソケット２００の場合と同様のものには同じ番号を付している。
【０１２５】
ソケット２００Ｃでは、ソケット２００でのシャッタ部２１０の代わりのシャッタ部は、単心用光コネクタのプラグ１００に対応した一対の単心用シャッタ部２１０Ｃ１と、この一対の単心用シャッタ部２１０Ｃ１の間に設けられた中間シャッタ部２１０Ｃ２とからなるようにし、且つ前記弾性体部２３０（図１１では図示省略）は、前記一対の単心用シャッタ部２１０Ｃ１と中間シャッタ部２１０Ｃ２とにそれぞれ対応して設けられていることを特徴とする。
【０１２６】
単心用シャッタ部２１０Ｃ１、２１０Ｃ１と中間シャッタ部２１０Ｃ２とは、シャッタ部２１０を単純に３つに分離したものではなく、次のような構成を有している。右側の単心用シャッタ部２１０Ｃ１には、シャッタ部２１０の左側の斜辺面２１１と同様の斜辺面２１１が形成されており、この斜辺面２１１には、係止用凸部２１１ａと同様の係止用凸部（図示省略）が突設されている。左側の単心用シャッタ部２１０Ｃ１には、シャッタ部２１０の右側の斜辺面２１１と同様の斜辺面２１１が形成されており、この斜辺面２１１には、係止用凸部２１１ａと同様の係止用凸部（図示省略）が突設されている。
【０１２７】
中間シャッタ部２１０Ｃ２には、一対の単心用シャッタ部２１０Ｃ１の前記係止用凸部に対応する一対の凹部（図示省略）が設けられている。この凹部は、第１のハウジング部２０５Ｍの長穴２２２ａの前方側部分と同様の形状のものである。また、中間シャッタ部２１０Ｃ２には、プラグ１００の挿入ガイド用凸部１５１ａを通過させるための一対の切欠き２１０Ｃ２１も設けられている。
【０１２８】
更に、中間シャッタ部２１０Ｃ２の下面には、中間シャッタ部２１０Ｃ２が垂直よりも前方に回動しないように係止用凸部（図示省略）が設けられている。この中間シャッタ部２１０Ｃ２の前記係止用凸部に対応するように、ソケット２００Ｃの挿入穴部２２０Ｃには、ソケット２００の挿入穴部２２０に対して凹部（図示省略）が付加されている。
【０１２９】
なお、中間シャッタ部２１０Ｃ２の前面には、ソケット２００のロック用凹部２１８に相当するロック用凹部２１８Ｃが設けられている。ただし、このロック用凹部２１８Ｃは、ロック用凹部２１８の底面に対して前記一対の切欠き２１０Ｃ２１が設けられ、且つロック用凹部２１８の両側面が２つの単心用シャッタ部２１０Ｃ１の中間シャッタ部２１０Ｃ２側の側面で兼用されたために省かれたものである。
【０１３０】
よって、ソケット２００Ｃの場合には、プラグ１００によって、右側（または左側）の単心用シャッタ部２１０Ｃ１を図１１（Ｂ）に示されるように奥側に回動させて挿入すると、左側（または右側）の単心用シャッタ部２１０Ｃ１と中間シャッタ部２１０Ｃ２とは閉じたままとなる。また、プラグ１００Ｗを挿入穴部２２０Ｃに挿入するときには、図１１（Ｃ）に示されるように、一対の単心用シャッタ部２１０Ｃ１と中間シャッタ部２１０Ｃ２とが回動させられて、ソケット２００のシャッタ部２１０と略同様の動きと機能を果たす。
【０１３１】
したがって、ソケット２００Ｃの場合には、ソケット２００と同様の効果を有する他に、一方側にだけ単心用プラグ１００が挿入された状態でも、信頼性を低下させる埃等の侵入を防止することができる。また、一方側にだけ単心用プラグ１００が挿入された状態でも、前記中間シャッタ部２１０Ｃ２がプラグ１００を保持するように働くので、横ズレが効果的に防止され接続の安定性がよい。
【０１３２】
次に、本発明の更に別の実施の形態に係る２心用光コネクタのソケット２００Ｄを図１２を参照しつつ説明する。
図１２は本発明の更に別の実施の形態に係る光コネクタのソケットを示す図であって、同図（Ａ）、同図（Ｂ）および同図（Ｃ）は概略的斜視図、同図（Ｄ）および同図（Ｅ）は概略的側面透視説明図である。なお、ソケット２００の場合と同様のものには同じ番号を付している。
【０１３３】
ソケット２００Ｄでは、ソケット２００でのシャッタ部２１０の代わりのシャッタ部は、単心用光コネクタのプラグ１００に対応した一対の単心用シャッタ部２１０Ｄ（前記シャッタ部２１０Ｃ１と同様のもの）と、この一対の単心用シャッタ部２１０Ｄ１の間に設けられて、２心用光コネクタのプラグ１００Ｗの着脱方向にスライドする中間スライド壁部２１０Ｄ２とからなり、且つ前記弾性体部（図示省略）は、前記一対の単心用シャッタ部２１０Ｄと中間スライド壁部２１０Ｄ２とにそれぞれ対応して設けられており、且つ、前記ロック用凹部２１８と同様の形状のロック用凹部２０６Ｄ（図１２（Ｅ）参照：同図（Ａ）乃至（Ｃ）においては図示省略）は前記シャッタ部２１０にではなく中間スライド壁部２１０Ｄ２が通過する領域の上方のハウジング部２０５Ｄ（即ち、挿入穴部２２０Ｄの天井面）に設けられたことを特徴とする。
【０１３４】
中間スライド壁部２１０Ｄ２は、ソケット２００Ｃの中間シャッタ部２１０Ｃ２のように回動するものではない。よって、中間スライド壁部２１０Ｄ２のために、中間シャッタ部２１０Ｃ２の厚み分に相当するスペースを挿入穴部２２０Ｄに設ける必要はない。そのため、挿入穴部２２０Ｄは、その天井面から下に突出した凸部２１０Ｄ３が設けられている。この凸部２１０Ｄ３は、軸部２４０を通す部分ともなる。よって、中間スライド壁部２１０Ｄ２の高さ寸法は中間シャッタ部２１０Ｃ２の高さ寸法よりも小さい。
【０１３５】
また、中間スライド壁部２１０Ｄ２には、ソケット２００Ｃの一対の単心用シャッタ部２１０Ｃ１の前記係止用凸部に対応する一対の凹部（図示省略）と同様の凹部（この凹部は、第１のハウジング部２０５Ｍの長穴２２２ａの前方側部分と同様の形状のものである。）が設けられている。更に、中間スライド壁部２１０Ｄ２には、プラグ１００の挿入ガイド用凸部１５１ａを通過させるための一対の凹部２１０Ｄ２１も設けられている。
【０１３６】
また、中間スライド壁部２１０Ｄ２には、上面と、下面とにガイド用凸部（図示省略）が設けられている。このガイド用凸部に対応するように、挿入穴部２２０Ｄの天井面と底面とにガイド用凹部（図示省略）が設けられている。このガイド用凹部は、挿入穴部２２０Ｄの前端までは形成しないようにして、中間スライド壁部２１０Ｄ２が前記前端から抜け出ないようにしている。
【０１３７】
前記弾性体部は、単心用シャッタ部２１０Ｄに対応するものは弾性体部２３０と同様のものでよい。一方、中間スライド壁部２１０Ｄ２に対応するものは、スライドさせるものであるので、圧縮バネである。この圧縮バネの自由長は、中間スライド壁部２１０Ｄ２が挿入穴部２２０Ｄの入口側に設けられたときに、中間スライド壁部２１０Ｄ２の背面と、この奥の挿入穴部２２０Ｄの面との間距離よりも長めにする。これにより、挿入穴部２２０Ｄの入口側に中間スライド壁部２１０Ｄ２を付勢している。
【０１３８】
よって、ソケット２００Ｄの場合にも、前記ソケット２００Ｃと同様に、プラグ１００によって、右側（または左側）の単心用シャッタ部２１０Ｄ１を図１２（Ｂ）および（Ｄ）に示されるように奥側に回動させて挿入すると、左側（または右側）の単心用シャッタ部２１０Ｄ１と中間スライド壁部２１０Ｄ２とは閉じたままとなる。また、プラグ１００Ｗを挿入穴部２２０Ｃに挿入するときには、図１２（Ｃ）、（Ｄ）および（Ｅ）に示されるように、一対の単心用シャッタ部２１０Ｄ１が回動させられ且つ中間スライド壁部２１０Ｄ２が押し込まれて、ソケット２００のシャッタ部２１０と略同様の機能を果たす。
【０１３９】
したがって、ソケット２００Ｄの場合にも、ソケット２００と同様の効果を有する他に、前記ソケット２００Ｃと同様に、一方側にだけ単心用プラグ１００が挿入された状態でも、信頼性を低下させる埃等の侵入を防止することができる。また、一方側にだけ単心用プラグ１００が挿入された状態でも、前記中間スライド壁部２１０Ｄ２がプラグ１００を保持するように働くので、横ズレが効果的に防止され接続の安定性がよい。なお、ソケット２００Ｄの中間スライド壁部２１０Ｄ２は、ソケット２００Ｃの中間シャッタ部２１０Ｃ２よりも厚み寸法を大きくすることが可能である。よって、中間スライド壁部２１０Ｄ２がプラグ１００を保持する能力は、ソケット２００Ｃの中間シャッタ部２１０Ｃ２よりも高くすることが可能である。
【０１４０】
なお、本発明の更に別の実施の形態に係る２心用光コネクタのソケット２００Ｄにおいては、一対の単心用シャッタ部２１０Ｄ１が、１つの軸部２４０で支えられている。その代わりに、各単心用シャッタ部２１０Ｄ１が、それぞれ軸部２４０よりも短い軸部（単心用シャッタ部２１０Ｄ１の幅よりもやや長い軸部）で支えられるようにしてもよい。
【０１４１】
次に、本発明の更に別の実施の形態に係る２心用光コネクタのソケット２００Ｅを図１３を参照しつつ説明する。
図１３は本発明の更に別の実施の形態に係る光コネクタのソケットを示す図であって、同図（Ａ）および同図（Ｂ）は概略的斜視図、同図（Ｃ）は概略的側面透視説明図である。
【０１４２】
ソケット２００Ｅの場合には、前記シャッタ部２１０の代わりのシャッタ部は、上側の第１のシャッタ部２１０Ｅ１と下側の第２のシャッタ部２１０Ｅ２とからなり且つ奥側へのみ観音開きする一方、弾性体部（図示省略）は第１のシャッタ部２１０Ｅ１と第２のシャッタ部２１０Ｅ２とにそれぞれ対応して設けられたことを特徴とする。なお、前記弾性体部は、弾性体部２３０と同様のものでよい。第１のシャッタ部２１０Ｅ１と、第２のシャッタ部２１０Ｅ２とは、シャッタ部２１０に準じてそれぞれ前記弾性体部が取り付けられるようになっている他、ヒンジ構造により前記観音開きさせることになるため、それぞれ軸部２４０が取り付けられるようになっている。
【０１４３】
ソケット２００Ｅの挿入穴部２２０Ｅは、ソケット２００の挿入穴部２２０よりも下側に大きめに形成されている。これは、挿入穴部２２０Ｅに第２のシャッタ部２１０Ｅ２の厚み分を格納するスペースが必要であることと、挿入穴部２２０Ｅではなく第２のシャッタ部２１０Ｅ２側にプラグ１００Ｗ等の斜辺面１５１Ｗｃ、１５１Ｗｃ等を支える部分を設けることで閉塞性やプラグの保持性を確保しているからである。
【０１４４】
第１のシャッタ部２１０Ｅ１と第２のシャッタ部２１０Ｅ２と、挿入穴部２２０Ｅとには、垂直よりも前に回動しないようにするための構造が設けられている。この構造は、第１のシャッタ部２１０Ｅ１の両端の下部側寄りと、第２のシャッタ部２１０Ｅ２の両端の上部側寄りに側方に突出するように設けられた係止用凸部（図示省略）と、前記係止用凸部が回動する挿入穴部２２０Ｅの領域に設けられた溝部（図示省略）とからなる。前記溝部は、もちろん挿入穴部２２０Ｅの前端までは至らないように形成されている。
【０１４５】
また、第１のシャッタ部２１０Ｅ１の前面には、プラグ１００Ｗのロック用爪部１６２Ｗに係合させるためのロック用凹部２１０Ｅ１１と、プラグ１００Ｗの上側の位置決め用凸部１５１Ｗｂ、１５１Ｗｂ（またはプラグ１００の上側の位置決め用凸部１５１ｂ）に係合させるための位置決め用凹部２１０Ｅ１２、２１０Ｅ１２が設けられている。第２のシャッタ部２１０Ｅ２の前面には、プラグ１００Ｗの下側の位置決め用凸部１５１Ｗｂに係合させるための位置決め用凹部２１０Ｅ２１とプラグ１００の下側の位置決め用凸部１５１ｂに係合させるための一対の位置決め用凹部２１０Ｅ２２とが設けられている。また、第２のシャッタ部２１０Ｅ２の前面側両端部には、前記斜辺面１５１Ｗｃ、１５１Ｗｃ等を支える部分としての一対の斜辺面突出部２１０Ｅ２３が設けられている。
【０１４６】
なお、第１のシャッタ部２１０Ｅ１と第２のシャッタ部２１０Ｅ２とが、挿入穴部２２０Ｅ内に開かれても、挿入穴部２２０Ｅ内への入り込みがシャッタ部２１０よりも少ないので、挿入穴部２２０Ｅの奥側に設けられたプラグ先端保持部２２９Ｅは、標準サイズ（ＥＩＡＪ規格サイズ）にできる。即ち、プラグ先端保持部２２９Ｅは、プラグ先端保持部２２９よりも長めにできる。
【０１４７】
よって、ソケット２００Ｅの場合には、ソケット２００と略同様の効果を有する他に、挿入穴部２２０Ｅに１つの単心用プラグ１００が接続される場合があるときでも、標準サイズのプラグ先端保持部２２９Ｅによって、プラグ１００がより安定して保持され、プラグ１００の横ズレが効果的に防止される。
【０１４８】
次に、本発明の更に別の実施の形態に係る２心用光コネクタのソケット２００Ｆを図１４を参照しつつ説明する。
図１４は本発明の更に別の実施の形態に係る光コネクタのソケットを示す図であって、同図（Ａ）、同図（Ｂ）、および同図（Ｃ）は概略的側面透視説明図である。
【０１４９】
ソケット２００Ｆは、前記ソケット２００（またはソケット２００Ｂ）のシャッタ部２１０（またはシャッタ部２１０Ｂ）と弾性体部２３０との代わりに、プラグ１００Ｗ等〔図１４ではプラグ１００を示した。〕のプラグ先端部１５９Ｗ等を挿入穴部２２０Ｆ内で保持する一対のプラグ先端保持部２２９Ｆの入口側を略閉塞するためのシャッタ面部２１０Ｆ１とこのシャッタ面部２１０Ｆ１に突設されたアーム部２１０Ｆ２とからなるシャッタ部２１０Ｆと、このシャッタ部２１０Ｆを前記略閉塞する方向に付勢する弾性体部（図示省略）とを備えており、アーム部２１０Ｆ２の基端部は挿入穴部２２０Ｆの入口側にヒンジ構造によって取り付けられ、プラグ１００Ｗ等が挿入穴部２２０Ｆに挿入されるときにアーム部２１０Ｆ２がプラグ１００Ｗ等に押されることによって、プラグ１００Ｗ等の先端部がシャッタ面部２１０Ｆ１に到達する前に、シャッタ面部２１０Ｆ１はプラグ先端保持部２２９Ｆの内部から外部へ移動させられる構成となっていることを特徴とする。
【０１５０】
ソケット２００Ｆの場合にも、プラグ先端保持部２２９Ｆは、ソケット２００Ｅのプラグ先端保持部２２９Ｅと同様に標準サイズである。
【０１５１】
シャッタ部２１０Ｆは、後述のような形状であり、プラグ１００Ｗ等の上側の保持にほとんど寄与しない。そのため、挿入穴部２２０Ｆの天井面の高さは、プラグ１００Ｗがちょうど挿入できる大きさである。
【０１５２】
挿入穴部２２０Ｆの天井面には後述のシャッタ部２１０Ｆが回動する領域に開口（図示省略）が設けられている。また、挿入穴部２２０Ｆの天井面には、プラグ１００Ｗのロック用爪部１６２Ｗに係合させるためのロック用凹部（図示省略）と、プラグ１００Ｗの上側の位置決め用凸部１５１Ｗｂ、１５１Ｗｂ（もちろん１５１Ｗｂの代わりにプラグ１００の上側の位置決め用凸部１５１ｂも）が嵌まり込む位置決め用凹部（図示省略）とが設けられている。
【０１５３】
挿入穴部２２０Ｆの底面や側面の構造は、ソケット２００（またはソケット２００Ｂ）の挿入穴部２２０（または挿入穴部２２０Ｂ）において、シャッタ部２１０に関するものを取り除いた形状となっている。前記ロック用凹部や位置決め用凹部は、プラグ１００Ｗ等をソケット２００Ｆに安定して保持するのに必要なものであるので、前記開口によってそれぞれが機能しないほど切欠きされることのないようにする必要がある。
【０１５４】
そのため、シャッタ部２１０Ｆの基端側にあるアーム部２１０Ｆ２は、前記ロック用凹部や位置決め用凹部をできるだけ避け、前記ロック用凹部や位置決め用凹部がその機能を確保できるだけの大きさを残すことができる形状に形成されている必要がある。よって、シャッタ部２１０Ｆのアーム部２１０Ｆ２は、例えば、一対の棒状体である。シャッタ部２１０Ｆの先端側にあるシャッタ面部２１０Ｆ１は、アーム部２１０Ｆ２の前記一対の棒状体の間およびその下方に延設された湾曲面体である。
【０１５５】
また、アーム部２１０Ｆ２は、挿入穴部２２０Ｆに挿入されたプラグ１００Ｗ等の係合凸部１５０Ｗ等に当接可能に形成されている。また、アーム部２１０Ｆ２は、プラグ１００Ｗ等の係合凸部１５０Ｗ等が挿入穴部２２０Ｆに完全に挿入されたときに、係合凸部１５０Ｗ等の上側の位置決め用凸部１５１Ｗｂ、１５１Ｗｂ（またはプラグ１００の上側の位置決め用凸部１５１ｂ）の一部（幅全体でなく幅方向の一部）にも当接するように形成されている。
【０１５６】
前記一部としたのは、もしアーム部２１０Ｆ２が位置決め用凸部１５１Ｗｂ等の前記幅全体に当接することになると、前記開口によって位置決め用凸部１５１Ｗｂ等に対応する位置決め用凹部が形成できなくなるからである。アーム部２１０Ｆ２がプラグ１００Ｗの上側の位置決め用凸部１５１Ｗｂ、１５１Ｗｂ（またはプラグ１００の上側の位置決め用凸部１５１ｂ）に当接したときには、シャッタ面部２１０Ｆ１は、プラグ先端保持部２２９Ｆの内部から外部へ完全に移動させられているように形成されている。
【０１５７】
即ち、アーム部２１０Ｆ２の基端の軸部２４０で軸支される部分と、シャッタ面部２１０Ｆ１の下端とを結んだ線分は、アーム部２１０Ｆ２がプラグ１００Ｗの上側の位置決め用凸部１５１Ｗｂ、１５１Ｗｂ（またはプラグ１００の上側の位置決め用凸部１５１ｂ）に当接したときにプラグ先端保持部２２９Ｆの内部から外部へ完全に移動させられているように、シャッタ部２１０Ｆが形成されている。なお、アーム部２１０Ｆ２の基端側は、前記当接に寄与する必要があるが、アーム部２１０Ｆ２の先端側は前記当接に寄与する必要もなく且つプラグ先端保持部２２９Ｆに掛からない方が好ましい。そのため、アーム部２１０Ｆ２の先端側は上側に湾曲されて形成されている。
【０１５８】
前記弾性体部は、弾性体部２３０と同様のものである。ただし、前記弾性体部の一方の棒状延設部の先はアーム部２１０Ｆ２に固定する。
【０１５９】
このように構成されたソケット２００Ｆの場合には、シャッタ部２１０Ｆは、挿入穴部２２０Ｆにプラグ１００Ｗ等が挿入されていないときに、シャッタ面部２１０Ｆ１の下端が、プラグ先端保持部２２９Ｆの内部の底面に当接するように、前記弾性体部によって付勢されている〔図１４（Ａ）参照〕。即ち、シャッタ部２１０Ｆによって一対のプラグ先端保持部２２９Ｆは閉塞されている。
【０１６０】
挿入穴部２２０Ｆにプラグ１００Ｗ等が挿入され始めると、シャッタ部２１０Ｆのアーム部２１０Ｆ２がプラグ１００Ｗ等に押されて、シャッタ面部２１０Ｆ１は、プラグ先端保持部２２９Ｆの内部から外部側へ移動させられ始める〔図１４（Ｂ）参照〕。プラグ１００Ｗ等の係合凸部１５０Ｗ等が挿入穴部２２０Ｆに完全に挿入されたときには、アーム部２１０Ｆ２がプラグ１００Ｗの上側の位置決め用凸部１５１Ｗｂ、１５１Ｗｂ（またはプラグ１００の上側の位置決め用凸部１５１ｂ）に当接して、シャッタ部２１０Ｆが最も押し上げられ、シャッタ面部２１０Ｆ１は、プラグ先端保持部２２９Ｆの内部から外部へ完全に移動させられる〔図１４（Ｃ）参照〕。
【０１６１】
このように、ソケット２００Ｆの場合には、プラグ先端保持部２２９Ｅをシャッタ部２１０Ｆを用いて閉塞することで、上述してきたソケット２００〜２００Ｅにおける挿入穴部２２０等をシャッタ部２１０等で閉塞するのと同様の効果を得ている。また、ソケット２００Ｆの場合には、プラグ１００Ｗ等の先端部が、シャッタ面部２１０Ｆ１に到達する前に、シャッタ面部２１０Ｆ１はプラグ先端保持部２２９Ｆの内部から外部へ移動させられる構成であるので、プラグ１００Ｗ等の先端部に埃等が付着しにくい。よって、プラグ１００Ｗ等とソケット２００Ｆとの間の信号伝達効率の低下を効果的に抑えることができる。
【０１６２】
更に、プラグ先端保持部２２９Ｆの長さ寸法を標準サイズよりも削る必要はないので、挿入穴部２２０Ｆに１つの単心用プラグ１００が接続される場合があるときでも、標準サイズのプラグ先端保持部２２９Ｆによって、プラグ１００がより安定して保持され、プラグ１００の横ズレが効果的に防止される。
【０１６３】
なお、本発明の更に別の実施の形態に係る２心用光コネクタのソケット２００Ｆにおいて、シャッタ部２１０Ｆが位置決め用凸部１５１Ｗｂ等も用いて押し上げられるように構成した。その代わりに、図１４（Ｃ）のシャッタ部の位置で、プラグ１００Ｗ等の係合凸部１５０Ｗ等の上面（ただし位置決め用凸部１５１Ｗｂ等がない部分）にシャッタ部のアーム部が当接するように、シャッタ部２１０Ｆのアーム部２１０Ｆ２よりもアーム部の下面側を突出させるか、または、シャッタ部２１０Ｆのアーム部２１０Ｆ２よりもシャッタ部のアーム部を下側に変形させて形成してもよい。
【０１６４】
本発明の更に別の実施の形態に係る２心用光コネクタのソケット２００Ｆでは、シャッタ部は１つであるとしたが、一対にして、１つのプラグ先端保持部２２９Ｆ当たり１つのシャッタ部を設けてもよい。
【０１６５】
次に、本発明の更に別の実施の形態に係る２心用光コネクタのソケット２００Ｇを図１５を参照しつつ説明する。
図１５は本発明の更に別の実施の形態に係る光コネクタのソケットを示す図であって、同図（Ａ）は概略的斜視図、同図（Ｂ）は概略的側面透視説明図である。
【０１６６】
ソケット２００Ｇは、ソケット２００（またはソケット２００Ｂ）のシャッタ部２１０（またはシャッタ部２１０Ｂ）と弾性体部２３０との代わりに、前記プラグ１００Ｗ等のプラグ先端部１５９Ｗ等を挿入穴部２２０Ｇ内で保持するプラグ先端保持部２２９Ｇ内の入口側にヒンジ構造によって取り付けられてプラグ先端保持部２２９Ｇの内側にだけ開くシャッタ部２１０Ｇと、このシャッタ部２１０Ｇをプラグ先端保持部２２９Ｇの入口側に付勢する弾性体部（図示省略）とを備えたことを特徴とする。
【０１６７】
挿入穴部２２０Ｇは、挿入穴部２２０等のように内側にシャッタ部２１０を納めるスペース２２５が必要ないので、このスペース２２５の分だけ天井面が低くなっている。また、挿入穴部２２０Ｇの天井面には、プラグ１００Ｗのロック用爪部１６２Ｗに係合させるためのロック用凹部（図示省略）と、プラグ１００Ｗの上側の位置決め用凸部１５１Ｗｂ、１５１Ｗｂ（もちろん１５１Ｗｂの代わりにプラグ１００の上側の位置決め用凸部１５１ｂも）が嵌まり込む位置決め用凹部（図示省略）とが設けられている。挿入穴部２２０Ｇの底面や側面の構造は、ソケット２００（またはソケット２００Ｂ）の挿入穴部２２０（または挿入穴部２２０Ｂ）において、シャッタ部２１０に関するものを取り除いた形状となっている。
【０１６８】
なお、プラグ先端保持部２２９Ｇは、奥行き方向の寸法が標準サイズであるが、通常の円筒形ではなく、シャッタ部２１０Ｇを設けるために、上側の半分を次のように拡張したものである。プラグ先端保持部２２９Ｇの上側の半分は、前記円筒の内面を、その内面（正面視円）の上端に接する水平な接線まで拡張している。即ち、プラグ先端保持部２２９Ｇは正面視略Ｕ字状である。ただし、プラグ先端保持部２２９Ｇに取り付けられたシャッタ部２１０Ｇが回動して水平となったときに、前記水平な接線よりも下側にシャッタ部２１０Ｇが突出しないように、プラグ先端保持部２２９Ｇの内面上部には凹部２２９Ｇ１が設けられている。プラグ先端保持部２２９Ｇには、ヒンジ構造のための軸部２４０Ｇ（円柱状の棒）を側面から挿入するための穴（図示省略）も設けられている。
【０１６９】
前記弾性体部は、弾性体部２３０を小型にしたものである。この弾性体部は、軸部２４０Ｇを介してシャッタ部２１０Ｇに取り付けられる。そのために、シャッタ部２１０Ｇの上部には、軸部２４０Ｇを取り付けるための穴が設けられている。
【０１７０】
また、シャッタ部２１０Ｇは垂直状態よりも前側に回動しないように、シャッタ部２１０Ｇの下端側はプラグ先端保持部２２９Ｇの内側形状よりもやや大きく形成されている。これに対応してプラグ先端保持部２２９Ｇの内側底面に、シャッタ部２１０Ｇの下端側を係止させる彫り込み部が形成されている。
【０１７１】
このようなソケット２００Ｇを組み立てるときには、例えば、ソケット２００のときの専用棒と専用治具とを小型化したものを使用すればよい。
【０１７２】
ソケット２００Ｇの構成でも信頼性を低下させる埃等の侵入を防止することができる。また、ソケット２００Ｇの構成は例えばソケット２００Ｅでのシャッタ部２１０Ｅと併用することも可能であり、ソケットの信頼性をより高く維持できる。更に、プラグ先端保持部２２９Ｇの長さ寸法を標準サイズよりも削る必要はないので、単心用プラグ１００も挿入することがある場合には、単心用プラグ１００の横ズレが効果的に防止され、接続安定性上効果的である。
【０１７３】
なお、本発明の実施の形態等に係るソケット２００〜２００Ｂの係止手段は組み合わせて設けてもよい。
【０１７４】
本発明の実施の形態等に係るソケット２００〜２００Ｇにおいては、２心用であるとして説明したが、単心用光コネクタのソケットまたは３以上の複数心用光コネクタのソケットに上述の構成を適用してもよい。
【０１７５】
単心用光コネクタのソケットの場合には、単心用光コネクタのプラグが挿入される挿入穴部を有するハウジング部を備えた光コネクタのソケットに上述の構成を適用すればよい。なお、ここでの単心用光コネクタのプラグは、プラグ１００Ｗに準じたロック機構を設けたものであることが望ましい。
一方、３以上の複数心用光コネクタのソケットの場合には、例えば次の（ａ）と（ｂ）との二種類の構造とすることができる。
【０１７６】
（ａ）相手側の最大の複数心用光コネクタのプラグの係合凸部が挿入される挿入穴部を有するハウジング部を備えた光コネクタのソケットに上述の構成を適用する。この場合、挿入穴部は１つである。
【０１７７】
（ｂ）１つの光コネクタのソケットに、複数の挿入穴部を設ける。例えば３心用光コネクタのソケットは、上述した２心用光コネクタのソケットのための第１のハウジング部と単心用光コネクタのソケットのための別の第１のハウジング部と、両ハウジング部を挿入する穴部を有する第２のハウジング部とを備えて対応すればよい。同様に４心用以上の光コネクタのソケットについても、様々な種類の第１のハウジング部と、この複数の第１のハウジング部を挿入する穴部を有する第２のハウジング部とを備えて対応すればよい。
【０１７８】
【発明の効果】
以上説明したように、本発明の請求項１に係る光コネクタのソケットは、光コネクタのプラグが接続可能であり且つプラグが接続された状態の当該プラグの先端部の対向位置に光素子が配設されたソケットであって、プラグが挿入される挿入穴部を有したハウジング部と、ハウジング部の挿入穴部の入口側の近くにヒンジによりその内側にだけ開閉可能に設けられたシャッタ部と、ハウジング部の挿入穴部に設けられ且つシャッタ部の閉状態を弾性的に維持するようにシャッタ部を付勢する弾性体部とを具備しており、プラグ挿入の際にその先端部が当接する面であるシャッタ部の前面には、当該プラグが挿入穴部に挿入された状態で当該プラグのロック用爪部が係合可能なロック用凹部が設けられる。
【０１７９】
よって、本発明の請求項１に係る光コネクタのソケットの場合には、前記シャッタ部によって、信頼性を低下させる埃等の侵入を防止することができる。また、埃等よけのキャップを抜き差しする手間もなく、キャップを紛失して埃等の侵入を許すおそれもない。更に、前記シャッタ部に設けられたロック用凹部によって、プラグがソケットに確実に固定されるので、接続性が安定し、信頼性を高く維持できる。また、検査工程で、前記キャップを抜き差しする工程を省くことができる。特に、プラグ挿入時にそのロック用爪部に係合されるロック用凹部がシャッタ部の前面に設けられた構成となっているので、余分の部品が不要になり、この点で低コスト化を図ることが可能になる。
【０１８０】
本発明の請求項２に係る光コネクタのソケットは、請求項１記載の光コネクタのソケットにおいて、前記ハウジング部は、前記シャッタ部及び弾性体部を有した第１のハウジング部と、第１のハウジング部をプラグ挿入方向と同じ方向に挿入するための穴部及び前記光素子が設けられた第２のハウジング部とを備えており、第２のハウジング部の穴部に挿入された第１のハウジング部を第２のハウジングに対して係止するための係止手段として、第１のハウジング部側には係止用爪部又は係止用穴部が、第２のハウジング部側には係止用穴部又は係止用爪部が各々設けられている。
【０１８１】
よって、本発明の請求項２に係る光コネクタのソケットの場合には、第１のハウジング部にシャッタ部等を取り付けるに当たり、第２のハウジング部から外した状態で行うことが可能になっているので、専用治具等不要で非常に容易となる。よって、組み立て時間短縮等により製造コストの低減を図ることができる。また、ハウジング部を１つのみとする場合の金型は、大変複雑なものとなるため、取り個数が少なかったが、ハウジング部を２つに分割したので金型をより単純化でき、取り個数を増加させることもできる。これによる成形時間の短縮も考慮すると、ソケットのコスト低減化が更に図られると共に、量産性も向上させることができる。したがって、低コストでソケットの信頼性を高く維持できる。
【０１８２】
しかも第２のハウジング部の穴部に挿入された第１のハウジング部を第２のハウジングに対して係止するための係止手段を備えた構成となっているので、前記ロック用爪部と前記ロック用凹部との間のロックが解除されない状態で、前記挿入穴部に挿入されたプラグに対して抜ける方向の外力がかかったとしても、前記係止手段によって、ソケットのパーツが分離するのを防止する効果を高めることができる。したがって、ソケットの信頼性を高く維持できる。
【０１８４】
本発明の請求項３に係る光コネクタのソケットは、請求項２記載の光コネクタのソケットにおいて、前記係止手段は、第１のハウジング部の外面に設けられた係止用爪部と、第２のハウジング部に設けられた係止用穴部とを有しており、当該係止用爪部は前記シャッタが閉状態になったときのその裏面に当接して圧接される位置に配設されている。
【０１８５】
よって、本発明の請求項３に係る光コネクタのソケットの場合には、かかる製造容易な構成で前記係止手段を構成できる。したがって、低コストでソケットの信頼性を高く維持できる。
【０１８６】
本発明の請求項４に係る光コネクタのソケットは、請求項２記載の光コネクタのソケットにおいて、前記係止手段は、シャッタ部の後面に設けられた係止用爪部と、第２のハウジング部に設けられた係止用穴部とを有しており、当該係止用爪部は前記シャッタの閉状態において当該係止用穴部に係止されるようになっている。
【０１８７】
よって、本発明の請求項４に係る光コネクタのソケットの場合には、かかる製造容易な構成で前記係止手段を構成できる。また、前記シャッタ部と第２のハウジング部との間での係止手段であるので、ソケットのパーツが分離するのを防止する効果が大きい。したがって、低コストでソケットの信頼性を高く維持できる。
【０１８８】
本発明の請求項５に係る光コネクタのソケットは、請求項２記載の光コネクタのソケットにおいて、前記係止手段は、第１のハウジング部の外面に設けられた係止用爪部と、第２のハウジング部に設けられた係止用穴部とを有している。
【０１８９】
よって、本発明の請求項５に係る光コネクタのソケットの場合には、かかる製造容易な構成で前記係止手段を構成できる。したがって、低コストでソケットの信頼性を高く維持できる。
【０１９０】
本発明の請求項６に係る光コネクタのソケットは、請求項１、２、３、４または５記載の光コネクタのソケットは２心用ソケットであって、前記シャッタ部は、単心用光コネクタのプラグに対応した一対の単心用シャッタ部と、この一対の単心用シャッタ部の間に設けられた中間シャッタ部とからなり、且つ前記弾性体部は、前記一対の単心用シャッタ部と前記中間シャッタ部とにそれぞれ対応して設けられる。
【０１９１】
よって、本発明の請求項６に係る光コネクタのソケットの場合には、２心用ソケットの一方側にだけ単心用プラグが挿入された状態でも、信頼性を低下させる埃等の侵入を防止することができる。また、２心用ソケットの一方側にだけ単心用プラグが挿入された状態でも、前記中間シャッタ部がプラグを保持するように働くので、横ズレが効果的に防止され接続の安定性がよい。したがって、ソケットの信頼性を高く維持できる。
【０１９２】
本発明の請求項７に係る光コネクタのソケットは、請求項１、２、３、４または５記載の光コネクタのソケットは２心用ソケットであって、前記シャッタ部は、単心用光コネクタのプラグに対応した一対の単心用シャッタ部と、この一対の単心用シャッタ部の間に設けられて、前記２心用光コネクタのプラグの着脱方向にスライドする中間スライド壁部とからなり、且つ前記弾性体部は、前記一対の単心用シャッタ部と前記中間スライド壁部とにそれぞれ対応して設けられており、且つ前記ロック用凹部は前記シャッタ部の前面ではなくその代わりに前記ハウジングの挿入穴部に設けられている。
【０１９３】
よって、本発明の請求項７に係る光コネクタのソケットの場合には、かかる構成でも本発明の請求項６に係る光コネクタのソケットと同様の効果が得られる。また、本発明の請求項７に係る光コネクタのソケットの中間スライド壁部は、本発明の請求項６に係る光コネクタのソケットの中間シャッタ部よりも厚み寸法を大きくすることが可能である。よって、中間スライド壁部が単心用プラグを保持する能力は、本発明の請求項６に係る光コネクタのソケットの中間シャッタ部よりも高くすることが可能である。
【０１９４】
本発明の請求項８に係る光コネクタのソケットは、請求項１、２、３、４または５記載の光コネクタのソケットにおいて、前記シャッタ部は第１のシャッタ部と第２のシャッタ部とからなり且つ奥側へのみ観音開きし、且つ前記弾性体部は前記第１のシャッタ部と前記第２のシャッタ部とにそれぞれ対応して設けられる。
【０１９５】
よって、本発明の請求項８に係る光コネクタのソケットの場合には、シャッタ部の挿入穴部への入り込みが少ないので、プラグ先端保持部の長さ寸法を標準サイズ（ＥＩＡＪ規格サイズ）よりも削る必要はない。よって、２心以上の光コネクタのソケットであって、単心用プラグも挿入することがある場合には、単心用プラグの横ズレが効果的に防止され、接続安定性上効果的である。また、単心用光コネクタのソケットの場合でも単心用プラグとの接続安定性を高く維持できる。したがって、ソケットの信頼性を高く維持できる。
【０１９６】
本発明の請求項９に係る光コネクタのソケットは、請求項１、２、３、４または５記載の光コネクタのソケットにおいて、前記シャッタ部と弾性体部との代わりに、前記プラグの先端部を前記挿入穴部内で保持するプラグ先端保持部の入口側を略閉塞するためのシャッタ面部とこのシャッタ面部に突設されたアーム部とからなるシャッタ部と、このシャッタ部を前記略閉塞する方向に付勢する弾性体部とを備えており、前記アーム部の基端部は前記挿入穴部の入口側にヒンジ構造によって取り付けられ、前記プラグが前記挿入穴部に挿入されるときに前記アーム部が前記プラグに押されることによって、前記プラグの先端部が前記シャッタ面部に到達する前に、前記シャッタ面部は前記プラグ先端保持部の内部から外部へ移動させられる構成となっている。
【０１９７】
よって、本発明の請求項９に係る光コネクタのソケットの場合には、プラグ先端保持部の入口側を略閉塞するシャッタ面部によって、信頼性を低下させる埃等の侵入を防止することができる。また、埃等よけのキャップを抜き差しする手間もなく、キャップを紛失して埃等の侵入を許すおそれもない。したがって、ソケットの信頼性を高く維持できる。また、検査工程で、キャップを抜き差しする工程を省くことができる。
【０１９８】
しかも前記プラグの先端部が前記シャッタ面部に到達する前に、前記シャッタ面部は前記プラグ先端保持部の内部から外部へ移動させられるので、プラグの先端部に埃等が付着しにくい。よって、プラグとソケットとの間の信号伝達効率の低下を効果的に抑えることができる。したがって、ソケットの信頼性を高く維持できる。更に、プラグ先端保持部の長さ寸法を標準サイズ（ＥＩＡＪ規格サイズ）よりも削る必要はないので、２心以上の光コネクタのソケットであって、単心用プラグも挿入することがある場合には、単心用プラグの横ズレが効果的に防止され、接続安定性上効果的である。
【０１９９】
本発明の請求項１０に係る光コネクタのソケットは、請求項２または５記載の光コネクタのソケットにおいて、前記シャッタ部と前記弾性体部との代わりに、前記プラグの先端部を前記挿入穴部内で保持するプラグ先端保持部内の入口側にヒンジ構造によって取り付けられて前記プラグ先端保持部の内側にだけ開くシャッタ部と、このシャッタ部を前記プラグ先端保持部の入口側に付勢する弾性体部とを備える。
【０２００】
よって、本発明の請求項１０に係る光コネクタのソケットの場合には、かかる構成でも信頼性を低下させる埃等の侵入を防止することができる。また、この構成は本発明の請求項９に係る光コネクタのソケットでのシャッタ部と併用することも可能であり、併用するとソケットの信頼性をより高く維持できる。更に、プラグ先端保持部の長さ寸法を標準サイズ（ＥＩＡＪ規格サイズ）よりも削る必要はないので、２心以上の光コネクタのソケットであって、単心用プラグも挿入することがある場合には、単心用プラグの横ズレが効果的に防止され、接続安定性上効果的である。
【図面の簡単な説明】
【図１】本発明の実施の形態に係る光コネクタのソケットを示す概略的断面的説明図である。
【図２】本発明の実施の形態に係る光コネクタのソケットを示す図であって、同図（Ａ）は平面図、同図（Ｂ）は正面図、同図（Ｃ）は側面図、同図（Ｄ）は断面図、同図（Ｅ）は背面図である。
【図３】本発明の実施の形態に係る光コネクタのソケットに用いられる第１のハウジング部を示す図であって、同図（Ａ）は平面図、同図（Ｂ）は側面図、同図（Ｃ）は正面図、同図（Ｄ）は同図（Ｃ）のＡ−Ａ線断面図、同図（Ｅ）は背面図、同図（Ｆ）は同図（Ｇ）の一部拡大図、同図（Ｇ）は底面図、同図（Ｈ）は同図（Ｃ）のＢ−Ｂ線断面図である。
【図４】本発明の実施の形態に係る光コネクタのソケットに用いられる第２のハウジング部を示す図であって、同図（Ａ）は平面図、同図（Ｂ）は側面図、同図（Ｃ）は正面図、同図（Ｄ）は同図（Ｃ）のＡ−Ａ線断面図、同図（Ｅ）は背面図、同図（Ｆ）は底面図である。
【図５】本発明の実施の形態に係る光コネクタのソケットに用いられるシャッタ部を示す図であって、同図（Ａ）は平面図、同図（Ｂ）は正面図、同図（Ｃ）は側面図、同図（Ｄ）は同図（Ｆ）のＢ−Ｂ線断面図、同図（Ｅ）は同図（Ｆ）のＡ−Ａ線断面図、同図（Ｆ）は背面図、同図（Ｇ）は底面図、同図（Ｈ）は同図（Ｄ）の一部拡大図である。
【図６】本発明の実施の形態に係る光コネクタのソケットに用いられるシールドカバーを示す図であって、同図（Ａ）は平面図、同図（Ｂ）は側面図、同図（Ｃ）は正面図、同図（Ｄ）は底面図である。
【図７】本発明の実施の形態に係る光コネクタのソケット等に接続される２心用光コネクタのプラグを示す図であって、同図（Ａ）は概略的斜視図、同図（Ｂ）は概略的正面図、同図（Ｃ）は同図（Ｂ）のＡ−Ａ線で一部破断した概略的側面図である。
【図８】本発明の実施の形態に係る光コネクタのソケット等に接続される単心用光コネクタのプラグを示す図であって、同図（Ａ）は概略的正面図、同図（Ｂ）は一部破断した概略的側面図である。
【図９】本発明の別の実施の形態に係る光コネクタのソケットを示す概略的断面的説明図である。
【図１０】本発明の更に別の実施の形態に係る光コネクタのソケットを示す概略的断面的説明図である。
【図１１】本発明の更に別の実施の形態に係る光コネクタのソケットを示す図であって、同図（Ａ）、同図（Ｂ）および同図（Ｃ）は概略的斜視図、同図（Ｄ）は概略的側面透視説明図である。
【図１２】本発明の更に別の実施の形態に係る光コネクタのソケットを示す図であって、同図（Ａ）、同図（Ｂ）および同図（Ｃ）は概略的斜視図、同図（Ｄ）および同図（Ｅ）は概略的側面透視説明図である。
【図１３】本発明の更に別の実施の形態に係る光コネクタのソケットを示す図であって、同図（Ａ）および同図（Ｂ）は概略的斜視図、同図（Ｃ）は概略的側面透視説明図である。
【図１４】本発明の更に別の実施の形態に係る光コネクタのソケットを示す図であって、同図（Ａ）、同図（Ｂ）、および同図（Ｃ）は概略的側面透視説明図である。
【図１５】本発明の更に別の実施の形態に係る光コネクタのソケットを示す図であって、同図（Ａ）は概略的斜視図、同図（Ｂ）は概略的側面透視説明図である。
【符号の説明】
１００Ｗ  プラグ
２００    ソケット
２０５    ハウジング部
２１０    シャッタ部
２２０    挿入穴部
【図１】
0003573675.tif 000002
【図２】
0003573675.tif 000003
【図３】
0003573675.tif 000004
【図４】
0003573675.tif 000005
【図５】
0003573675.tif 000006
【図６】
0003573675.tif 000007
【図７】
0003573675.tif 000008
【図８】
0003573675.tif 000009
【図９】
0003573675.tif 000010
【図１０】
0003573675.tif 000011
【図１１】
0003573675.tif 000012
【図１２】
0003573675.tif 000013
【図１３】
0003573675.tif 000014
【図１４】
0003573675.tif 000015
【図１５】
0003573675.tif 000016